(57)【要約】【課題】高変倍比化とコンパクト化の両立に有利なズームレンズ供を提供すること。【解決手段】物体側から順に、正屈折力の第１レンズ群Ｇ１と、負屈折力の第２レンズ群Ｇ２と、正屈折力の第３レンズ群Ｇ３と、正屈折力の第４レンズ群Ｇ４とを有する４群ズームレンズであって、広角端から望遠端への変倍に際して、各レンズ群の間の間隔が変化し、第１レンズ群Ｇ１は２枚以下のレンズからなり、第１レンズ群Ｇ１中の正レンズは１枚のみであり、第２レンズ群Ｇ２は３枚以下のレンズからなり、以下の条件式を満足する。    １．２＜（β2t／β2w）／（β3t／β3w）＜２．３  ・・・（１）    ３．０＜ｆt／ｆw＜１２．０  ・・・（２）【選択図】        図１
2008146016.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
正の屈折力を有する第４レンズ群と、を有する４群ズームレンズであって、
広角端から望遠端への変倍に際して、少なくとも前記第１レンズ群、前記第２レンズ群、前記第３レンズ群が移動して前記各レンズ群の間の間隔が変化し、
前記第２レンズ群は３枚以下のレンズからなり、
以下の条件式を満足することを特徴とするズームレンズ。
１．２＜（β2t／β2w）／（β3t／β3w）＜６．０    ・・・（１Ａ）
３．０＜ｆt／ｆw＜２０．０    ・・・（２Ａ）
ただし、
β2wは、前記第２レンズ群の広角端での横倍率、
β2tは、前記第２レンズ群の望遠端での横倍率、
β3wは、前記第３レンズ群の広角端での横倍率、
β3tは、前記第３レンズ群の望遠端での横倍率、
ｆwは、広角端での前記ズームレンズ全系の焦点距離、
ｆtは、望遠端での前記ズームレンズ全系の焦点距離、
である。
【請求項２】
前記第１レンズ群は２枚以下のレンズからなり、第１レンズ群中の正レンズは１枚のみであることを特徴とする請求項１に記載のズームレンズ。
【請求項３】
物体側から順に、
正の屈折力を有する第１レンズ群と、
負の屈折力を有する第２レンズ群と、
正の屈折力を有する第３レンズ群と、
正の屈折力を有する第４レンズ群と、を有する４群ズームレンズであって、
広角端から望遠端への変倍に際して、前記各レンズ群の間の間隔が変化し、
前記第１レンズ群は２枚以下のレンズからなり、第１レンズ群中の正レンズは１枚のみであり、
前記第２レンズ群は３枚以下のレンズからなり、
以下の条件式を満足することを特徴とするズームレンズ。
１．２＜（β2t／β2w）／（β3t／β3w）＜２．３  ・・・（１）
３．０＜ｆt／ｆw＜１２．０  ・・・（２）
ただし、
β2wは、前記第２レンズ群の広角端での横倍率、
β2tは、前記第２レンズ群の望遠端での横倍率、
β3wは、前記第３レンズ群の広角端での横倍率、
β3tは、前記第３レンズ群の望遠端での横倍率、
ｆwは、広角端での前記ズームレンズ全系の焦点距離、
ｆtは、望遠端での前記ズームレンズ全系の焦点距離、
である。
【請求項４】
物体側から順に、
正の屈折力を有する第１レンズ群と、
負の屈折力を有する第２レンズ群と、
正の屈折力を有する第３レンズ群と、
正の屈折力を有する第４レンズ群と、を有し、
広角端から望遠端への変倍に際して、前記各レンズ群の間の間隔が変化し、
前記第１レンズ群は負レンズと正レンズの２枚のレンズからなり、
以下の条件式を満足することを特徴とするズームレンズ。
０．２０＜Ｄ2w／ｆt＜０．３５  ・・・（３）
ただし、
Ｄ2wは、広角端における前記第２レンズ群と前記第３レンズ群の間の光軸上での空気間隔、
ｆtは、望遠端での前記ズームレンズ全系の焦点距離、
である。
【請求項５】
以下の条件式を満足することを特徴とする請求項１、２または４に記載のズームレンズ。
３．０＜ｆt／ｆw＜１２．０  ・・・（２）
ただし、
ｆwは、広角端での前記ズームレンズ全系の焦点距離、
ｆtは、望遠端での前記ズームレンズ全系の焦点距離、
である。
【請求項６】
以下の条件式を満足することを特徴とする請求項１、２または５に記載のズームレンズ。
１．２＜（β2t／β2w）／（β3t／β3w）＜２．３  ・・・（１）
ただし、
β2wは、前記第２レンズ群の広角端での横倍率、
β2tは、前記第２レンズ群の望遠端での横倍率、
β3wは、前記第３レンズ群の広角端での横倍率、
β3tは、前記第３レンズ群の望遠端での横倍率、
である。
【請求項７】
前記第３レンズ群と一体で移動する明るさ絞りを備えたことを特徴とする請求項１〜６のいずれか一項に記載のズームレンズ。
【請求項８】
以下の条件式を満足することを特徴とする請求項１〜７のいずれか一項に記載のズームレンズ。
０．４０＜ｆ1／ｆt＜０．９０  ・・・（４）
ただし、
ｆ1は、前記第１レンズ群の焦点距離、
ｆtは、望遠端での前記ズームレンズ全系の焦点距離、
である。
【請求項９】
以下の条件式を満足することを特徴とする請求項１〜８のいずれか一項に記載のズームレンズ。
０．１０＜｜ｆ2／ｆt｜＜０．２０  ・・・（５）
ただし、
ｆ2は、前記第２レンズ群の焦点距離、
ｆtは、望遠端での前記ズームレンズ全系の焦点距離、
である。
【請求項１０】
以下の条件式を満足することを特徴とする請求項１〜９のいずれか一項に記載のズームレンズ。
０．１０＜ｆ3／ｆt＜０．３０  ・・・（６）
ただし、
ｆ3は、前記第３レンズ群の焦点距離、
ｆtは、望遠端での前記ズームレンズ全系の焦点距離、
である。
【請求項１１】
以下の条件式を満足することを特徴とする請求項１〜１０のいずれか一項に記載のズームレンズ。
０．１０＜ｆ4／ｆt＜０．７０  ・・・（７）
ただし、
ｆ4は、前記第４レンズ群の焦点距離、
ｆtは、望遠端での前記ズームレンズ全系の焦点距離、
である。
【請求項１２】
前記第１レンズ群が、物体側から順に負レンズ、正レンズの２枚のレンズからなる両凸形状の接合レンズであることを特徴とする請求項１〜１１のいずれか一項に記載のズームレンズ。
【請求項１３】
以下の条件式を満足することを特徴とする請求項１２に記載のズームレンズ。
３８．０＜νd1p−νd1n  ・・・（８）
ただし、
νd1pは、前記第１レンズ群の前記正レンズのｄ線に対するアッベ数、
νd1nは、前記第１レンズ群の前記負レンズのｄ線に対するアッベ数、
である。
【請求項１４】
以下の条件式を満足することを特徴とする請求項２〜１３のいずれか一項に記載のズームレンズ。
６２．０＜νd1p＜９５．０  ・・・（９）
ただし、
νd1pは、前記第１レンズ群中の前記正レンズのｄ線に対するアッベ数、
である。
【請求項１５】
前記第３レンズ群中の最も物体側に、物体側面が凸面であり、以下の条件式を満足する正レンズを備えることを特徴とする請求項１〜１４のいずれか一項に記載のズームレンズ。
６２．０＜νd3p＜９５．０  ・・・（１０）
ただし、
νd3pは、前記第３レンズ群中の前記正レンズのｄ線に対するアッベ数、
である。
【請求項１６】
前記第１レンズ群が以下の条件式を満足する負レンズを有することを特徴とする請求項１２〜１５のいずれか一項に記載のズームレンズ。
１．８５＜ｎd1n＜２．１０  ・・・（１１）
ただし、
ｎd1nは、前記第１レンズ群中の前記負レンズのｄ線に対する屈折率、
である。
【請求項１７】
前記第２レンズ群中の最も物体側に、物体側面が凹面であり、以下の条件式を満足する負レンズを備えることを特徴とする請求項１〜１６のいずれか一項に記載のズームレンズ。
１．７６＜ｎd2n＜２．００  ・・・（１２）
ただし、
ｎd2nは、前記第２レンズ群中の前記負レンズのｄ線に対する屈折率、
である。
【請求項１８】
前記第２レンズ群中の最も像側、もしくは、像側から２番目に、以下の条件式を満足する正レンズを備えることを特徴とする請求項１〜１７のいずれか一項に記載のズームレンズ。
１．８０＜ｎd2p＜２．１５  ・・・（１３）
ただし、
ｎd2pは、前記第２レンズ群中の前記正レンズのｄ線に対する屈折率、
である。
【請求項１９】
前記第２レンズ群中の最も物体側に、以下の条件式を満足する両凹負レンズを配置したことを特徴とする請求項１〜１８のいずれか一項に記載のズームレンズ。
−１．０＜ＳＦ2n1＜０．８  ・・・（１４）
ただし、
ＳＦ2n1＝（Ｒ2n1f＋Ｒ2n1r）／（Ｒ2n1f−Ｒ2n1r）で定義され、
Ｒ2n1fは、前記第２レンズ群中、最も物体側に配置された前記負レンズの物体側面の近軸曲率半径、
Ｒ2n1rは、前記第２レンズ群中、最も物体側に配置された前記負レンズの像側面の近軸曲率半径、
である。
【請求項２０】
前記第２レンズ群中が、前記両凹負レンズの像側に正レンズと負レンズを有し、
前記両凹負レンズが以下の条件式を満足することを特徴とする請求項１９に記載のズームレンズ。
−１．０＜ＳＦ2n1＜０．０  ・・・（１４’’’）
【請求項２１】
以下の条件式を満足することを特徴とする請求項２〜２０のいずれか一項に記載のズームレンズ。
−０．８＜ＳＦ1p＜−０．１  ・・・（１５）
ただし、
ＳＦ1p＝（Ｒ1pf＋Ｒ1pr）／（Ｒ1pf−Ｒ1pr）で定義され、
Ｒ1pfは前記第１レンズ群中の正レンズの物体側面の近軸曲率半径、
Ｒ1prは前記第１レンズ群中の正レンズの像側面の近軸曲率半径、
である。
【請求項２２】
以下の条件式を満足することを特徴とする請求項１〜２１のいずれか一項に記載のズームレンズ。
２．６＜β2t／β2w＜６．０  ・・・（１６）
ただし、
β2wは、前記第２レンズ群の広角端での横倍率、
β2tは、前記第２レンズ群の望遠端での横倍率、
である。
【請求項２３】
以下の条件式を満足することを特徴とする請求項１〜２２のいずれか一項に記載のズームレンズ。
１．２＜β3t／β3w＜３．０  ・・・（１７）
ただし、
β2wは、前記第３レンズ群の広角端での横倍率、
β2tは、前記第３レンズ群の望遠端での横倍率、
である。
【請求項２４】
以下の条件式を満足することを特徴とする請求項１〜２３のいずれか一項に記載のズームレンズ。
０．７＜β4t／β4w＜１．７  ・・・（１８）
ただし、
β4wは、前記第４レンズ群の広角端での横倍率、
β4tは、前記第４レンズ群の望遠端での横倍率、
である。
【請求項２５】
以下の条件式を満足することを特徴とする請求項１〜２４のいずれか一項に記載のズームレンズ。
０．４＜（Ｄ2w＋Ｄ1t）／ｆt＜０．９  ・・・（１９）
ただし、
Ｄ2wは、広角端における前記第２レンズ群と前記第３レンズ群との光軸上での空気間隔、
Ｄ1tは、望遠端における前記第１レンズ群と前記第２レンズ群との光軸上での空気間隔、
ｆtは、望遠端での前記ズームレンズ全系の焦点距離、
である。
【請求項２６】
以下の条件式を満足することを特徴とする請求項１〜２５のいずれか一項に記載のズームレンズ。
０．２＜Ｄ1t／ｆt＜０．５  ・・・（２０）
ただし、
Ｄ1tは、望遠端における前記第１レンズ群と前記第２レンズ群との光軸上での空気間隔、
ｆtは、望遠端での前記ズームレンズ全系の焦点距離、
である。
【請求項２７】
以下の条件式を満足することを特徴とする請求項１〜２６のいずれか一項に記載のズームレンズ。
０．７＜ＴL／ｆt＜１．５  ・・・（２１）
ただし、
ＴLは、望遠端における前記第１レンズ群の最も物体側のレンズ面の面頂から像面まで
の光軸上の距離、
ｆtは、望遠端での前記ズームレンズ全系の焦点距離、
である。
【請求項２８】
前記第１レンズ群を負レンズと正レンズを接合した接合ダブレットからなることを特徴とする請求項１〜１１のいずれか一項に記載のズームレンズ。
【請求項２９】
前記第２レンズ群が３枚以下のレンズからなることを特徴とする請求項４に記載のズームレンズ。
【請求項３０】
前記第２レンズ群が、物体側から順に、負レンズ、負レンズ、正レンズからなることを特徴とする請求項１〜２９のいずれか一項に記載のズームレンズ。
【請求項３１】
前記第２レンズ群が、物体側から順に、負レンズ、正レンズ、負レンズからなることを特徴とする請求項１〜２９のいずれか一項に記載のズームレンズ。
【請求項３２】
前記第２レンズ群が負レンズと正レンズの２枚のレンズからなることを特徴とする請求項１〜２９のいずれか一項に記載のズームレンズ。
【請求項３３】
前記第３レンズ群が３枚以下のレンズからなることを特徴とする請求項１〜３２のいずれか一項に記載のズームレンズ。
【請求項３４】
前記第３レンズ群が物体側から順に、正レンズ、正レンズ、負レンズからなり、
前記負レンズが隣の前記正レンズと接合し、接合ダブレットを構成したことを特徴とする請求項３３に記載のズームレンズ。
【請求項３５】
前記第４レンズ群が１枚の正レンズからなることを特徴とする請求項１〜３４のいずれか一項に記載のズームレンズ。
【請求項３６】
前記第１レンズ群は、非球面レンズ面を有することを特徴とする請求項１〜３５のいずれか一項に記載のズームレンズ。
【請求項３７】
前記第２レンズ群は、非球面レンズ面を有することを特徴とする請求項１〜３６のいずれか一項に記載のズームレンズ。
【請求項３８】
前記第３レンズ群は、非球面レンズ面を有することを特徴とする請求項１〜３７のいずれか一項に記載のズームレンズ。
【請求項３９】
前記第３レンズ群中の最も物体側のレンズが、両面非球面の正単レンズであることを特
徴とする請求項３８に記載のズームレンズ。
【請求項４０】
前記第４レンズ群は、非球面レンズ面を有することを特徴とする請求項１〜３９のいずれか一項に記載のズームレンズ。
【請求項４１】
前記第１レンズ群、第２レンズ群、第３レンズ群、第４レンズ群が変倍時に移動し、
前記第３レンズ群と一体で光軸方向に移動する明るさ絞りを備えたことを特徴とする請求項１〜４０のいずれか一項に記載のズームレンズ。
【請求項４２】
前記広角端から前記望遠端への変倍に際して、
前記第１レンズ群は広角端よりも望遠端で物体側にあるように移動し、
前記第２レンズ群は移動し、
前記第３レンズ群は物体側へのみ移動し、
前記第４レンズ群は移動することを特徴とする請求項４１に記載のズームレンズ。
【請求項４３】
前記広角端から前記望遠端への変倍に際して、
前記第１レンズ群はまず物体側に移動して広角端よりも望遠端で物体側にあるように移動し、
前記第２レンズ群はまず物体側へ移動し、変倍途中にて移動方向が反転し、
前記第３レンズ群はまず物体側に移動して広角端よりも望遠端で物体側にあるように移動し、
前記第４レンズ群は広角端よりも望遠端で像側にあるように移動することを特徴とする請求項４１に記載のズームレンズ。
【請求項４４】
前記明るさ絞りが、前記第２レンズ群と前記第３レンズ群との間に配置されたことを特徴とする請求項４１〜４３のいずれか一項に記載のズームレンズ。
【請求項４５】
前記ズームレンズは、物体側から順に前記第１レンズ群、前記第２レンズ群、前記第３レンズ群、前記第４レンズ群からなる４群ズームレンズであることを特徴とする請求項４に記載のズームレンズ。
【請求項４６】
請求項１から４５のいずれか一項に記載のズームレンズと、
前記ズームレンズの像側に配置され、前記ズームレンズにより形成された像を電気信号に変換する電子撮像素子と、を有することを特徴とする電子撮像装置。
【請求項４７】
前記電子撮像素子による電気信号をもとに、前記ズームレンズの歪曲収差を電気的に補正する処理部を備えたことを特徴とする請求項４６に記載の電子撮像装置。
【請求項４８】
物体側面と像側面の両面が非球面形状を有し、その両面の面形状が以下の条件式を満足する両面非球面レンズを有することを特徴とするズームレンズ。
−０．１＜（ＲaspO＋ＲaspI）／（ＲaspO−ＲaspI）＜０．１    ・・・（２２）
０≦ｙ≦Ｒの範囲において、
−１０-4＜（ＸO(y)＋ＸI(y)）／（ＲaspO−ＲaspI）＜１０-4    ・・・（２３）
ただし、
ＸO(R)≠０、
ＸI(R)≠０、
であり、
ＲaspOは前記両面非球面レンズの物体側面の近軸曲率半径、
ＲaspIは前記両面非球面レンズの像側面の近軸曲率半径、
ｙは光軸からの距離、
Ｒは前記両面非球面レンズの物体側面、像側面のそれぞれの有効半径のうち小さいほうの値、
ＸO(y)、ＸI(y)はそれぞれ両面非球面レンズの物体側面、像側面の距離ｙの位置における非球面偏倚量、
である。
【発明の詳細な説明】
【技術分野】
【０００１】
本発明は、ズームレンズ及びそれを用いた電子撮像装置に関するものである。特に小型化を実現した、ビデオカメラやデジタルカメラをはじめとする電子撮像装置に関するものである。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。
【０００３】
普及タイプのデジタルカメラのユーザーは、いつでもどこでも手軽に幅広いシーンで撮影を楽しみたいという要望をもっている。そのため、小型なカメラ、特に服やカバンのポケット等への収納性がよく持ち運びが便利な、厚み方向のサイズが薄型であるタイプのデジタルカメラが好まれるようになっている。一方、コンパクトタイプのデジタルカメラの変倍比は３倍程度が一般的であったが、更に撮影領域を広げるために従来よりも高変倍比のカメラが求められている。
【０００４】
また、最近では、撮像装置の使用状態ではレンズ鏡筒をボディ内からせり出し携帯時にはボディ内に収納する、いわゆる沈胴式鏡筒が一般的になっている。そのため、沈胴時のレンズ鏡筒の薄型化を考慮してズームレンズ光学系を構成することが重要である。従来技術として、物体側より正屈折力の第１レンズ群、負屈折力の第２レンズ群、正屈折力の第３レンズ群、正屈折力の第４レンズ群からなる４群ズームレンズタイプにて構成したコンパクトなズームレンズが、例えば特許文献１にて知られている。
【０００５】
特許文献１の公報に開示されたズームレンズは、第１レンズ群が２枚以下のレンズ、第２レンズ群が３枚のレンズで構成され、ズームレンズの径方向の小型化に有利となっている。また、構成レンズ枚数も少なく小型化にも有利な構成となっている。上述の先行技術では、各レンズ群のレンズ枚数を少なくすることにより、群の厚さ方向を小さくする工夫がなされている。
【０００６】
特に第１、第２レンズ群では軸外光線の光軸上からの高さが高くなるので、レンズのふち肉を必要な量確保しようとするとき、軸上肉厚が非常に厚くなりやすい。さらに第１、第２レンズ群のレンズ枚数が多くなると入射瞳位置が物体側から見て遠くなるため第１、第２レンズ群を通る軸外光線高さはますます高くなり、ふち肉確保のための軸上肉厚はより厚みが必要となる。当然、レンズ枚数が増えた分の軸上肉厚も大きくなってしまう。
【０００７】
従って、レンズ枚数を増やすにつれて、このレンズ群の径方向の大きや光軸上肉厚は必要以上に大きくなってしまい、沈胴状態にさせたとしても鏡筒のコンパクト化が十分には行えなくなる。このような観点から、第１レンズ群、第２レンズ群を少ないレンズ枚数からなる構成とすることは鏡筒のコンパクト化に有利となる。
【０００８】
【特許文献１】特開２００６−２３５３１号公報
【発明の開示】
【発明が解決しようとする課題】
【０００９】
しかしながら、開示されている先行技術には以下のような課題がある。従来技術の特許
文献１に開示されたズームレンズは、第３レンズ群の変倍負担が第２レンズ群の変倍負担に対して比較的大きいため、変倍比確保のため広角端から望遠端までの像面に対する第３レンズ群の移動量が大きくなっている。そのため、各レンズ群を沈胴状態にさせたときに、レンズ群の移動のためのカムの厚さ方向が必要以上に大きくなってしまい、高変倍比化とコンパクト化の両立に不利な構成となっている。
【００１０】
また、広角端における第２レンズ群と第３レンズ群の空気間隔が比較的長く、結果的に第１レンズ群と第２レンズ群への光線高が比較的高くなってしまうため、第１、２レンズ群の外径と厚さの小型化の機能を十分発揮し難い構成となっている。
また、非球面をもつレンズの形状が物体側面と像側面との形状の差が大きく、レンズを鏡枠に組み込む際にレンズ面の向きを逆向きに組み込んでしまった場合の光学性能の劣化が生じやすくなる。
【００１１】
本発明は、このような課題に鑑みてなされたものであり、高変倍比化とコンパクト化の両立に有利なズームレンズの提供を第１の目的とするものである。また、第１、２レンズ群の小型化に有利なズームレンズの提供を第２の目的とするものである。
【００１２】
さらには、上述の目的を同時に達成するズームレンズの提供を目的とするものである。また、各レンズ群、移動方式等の工夫により、小型化、高変倍比化、低コスト化、光学性能の確保等の何れか、または、複数を同時に達成するズームレンズの提供を目的とするものである。さらには、そのようなズームレンズを備えた電子撮像装置の提供を目的とするものである。
また、ズームレンズの組み立て時にレンズの組み込み間違いによる光学性能の劣化を低減しやすいズームレンズの提供を第３の目的とするものである。
【課題を解決するための手段】
【００１３】
上述した課題を解決し、第１の目的を達成するために、第１のズームレンズは、物体側から順に、正の屈折力を有する第１レンズ群と、負の屈折力を有する第２レンズ群と、正の屈折力を有する第３レンズ群と、正の屈折力を有する第４レンズ群とを有する４群ズームレンズであって、広角端から望遠端への変倍に際して、少なくとも第１レンズ群、第２レンズ群、第３レンズ群が移動して各レンズ群の間の間隔が変化し、前記第２レンズ群は３枚以下のレンズからなり、以下の条件式を満足する。
【００１４】
１．２＜（β2t／β2w）／（β3t／β3w）＜６．０    ・・・（１Ａ）
３．０＜ｆt／ｆw＜２０．０    ・・・（２Ａ）
ただし、
β2wは、第２レンズ群の広角端での横倍率、
β2tは、第２レンズ群の望遠端での横倍率、
β3wは、第３レンズ群の広角端での横倍率、
β3tは、第３レンズ群の望遠端での横倍率、
ｆwは、広角端でのズームレンズ全系の焦点距離、
ｆtは、望遠端でのズームレンズ全系の焦点距離、
である。
【００１５】
第１のズームレンズにおいて上記構成をとった理由と作用を説明する。本発明では、ユーザーニーズの高い変倍比の範囲となる条件式（２Ａ）の変倍比を達成するために、物体側から順に、正の第１レンズ群、負の第２レンズ群、正の第３レンズ群、正の第４レンズ群からなり、各群の間の間隔を変化させることで変倍を行う構成を採用した。
このような構成をとることにより、各群に変倍の負担を効率的に分担させることで変倍時の収差変動を小さく抑えつつ、また各群の移動量が大きくなることを防ぎ光学系のコンパクト化につながる。また、４群構成とすることで、群数が少ない場合に比べ、特定のレンズ群の移動量が大きくなりすぎることを抑えやすくなる。また、群数が多い場合に比べ、鏡筒の数を少なくすることに有利となる。
【００１６】
この構成で沈胴状態の鏡筒を小型化するためには、まずレンズ沈胴時の奥行き方向の厚さを薄くする必要がある。そのためには光学性能を考慮しつつ、各レンズ群の移動量をバランスよく配分してズームレンズを構成しなければならない。
そのため、変倍に際して少なくとも第１レンズ群、第２レンズ群、第３レンズ群を移動させることでレンズ群を移動させる枠の奥行き方向のサイズを近づけやすくなり、ズームレンズ沈胴時の厚さ方向のサイズを抑えつつ、変倍比を確保することに有利となる。
さらに、従来技術で広角端から望遠端への移動量が大きかった第３レンズ群の移動量を小さくして、代わりに第１、２レンズ群の間の間隔変化による変倍負担を確保することで高変倍比化とコンパクト化に大きく貢献する。
【００１７】
条件式（１Ａ）の上限を上回らないようにして、第２レンズ群の変倍負担の極端な過剰を抑え、パワー増大による収差の発生、特に望遠端での像面湾曲や倍率色収差などの軸外諸収差の発生を抑えることが好ましい。
条件式（１Ａ）の下限を下回らないようにして、第３レンズ群の移動量増大による鏡筒サイズの大型化や、第３レンズ群のパワー増大による収差の発生、特に望遠端での球面収差等の軸上収差の発生を抑えることが好ましい。
【００１８】
条件式（１Ａ）に代えて後述の条件式（１）を満足するようにしてもよい。
数値範囲をいっそう限定して後述する条件式（１’）、（１”）としてもよい。
条件式（２Ａ）に代えて後述の条件式（２）を満足するようにしてもよい。
数値範囲をいっそう限定して後述する条件式（２’）、（２”）としてもよい。
【００１９】
さらに、第２のズームレンズは第１のズームレンズにおいて、第１レンズ群は２枚以下のレンズからなり、第１レンズ群中の正レンズは１枚のみであることが好ましい。これにより、第１レンズ群の厚さや径サイズを小さくでき、小型化に有利となる。
【００２０】
また、上述した課題を解決し、第１の目的を達成するために、第３のズームレンズは、物体側から順に、正の屈折力を有する第１レンズ群と、負の屈折力を有する第２レンズ群と、正の屈折力を有する第３レンズ群と、正の屈折力を有する第４レンズ群とを有する４群ズームレンズであって、広角端から望遠端への変倍に際して、各レンズ群の間の間隔が変化し、前記第１レンズ群は２枚以下のレンズからなり、第１レンズ群中の正レンズは１枚のみであり、前記第２レンズ群は３枚以下のレンズからなり、以下の条件式を満足する。
【００２１】
１．２＜（β2t／β2w）／（β3t／β3w）＜２．３  ・・・（１）
３．０＜ｆt／ｆw＜１２．０  ・・・（２）
ただし、
β2wは、第２レンズ群の広角端での横倍率、
β2tは、第２レンズ群の望遠端での横倍率、
β3wは、第３レンズ群の広角端での横倍率、
β3tは、第３レンズ群の望遠端での横倍率、
ｆwは、広角端でのズームレンズ全系の焦点距離、
ｆtは、望遠端でのズームレンズ全系の焦点距離、
である。
【００２２】
第３のズームレンズにおいて上記構成をとった理由と作用を説明する。本発明では条件式（２）の変倍比を達成するために、物体側から順に、正の第１レンズ群、負の第２レンズ群、正の第３レンズ群、正の第４レンズ群からなり、各群の間の間隔を変化させることで変倍を行う構成を採用した。
【００２３】
このような構成をとることにより、各群に変倍の負担を効率的に分担させることで変倍時の収差変動を小さく抑えつつ、また各群の移動量が大きくなることを防ぎ光学系のコンパクト化につながる。また、４群構成とすることで、群数が少ない場合に比べ、特定のレンズ群の移動量が大きくなりすぎることを抑えやすくなる。また、群数が多い場合に比べ、鏡筒の数を少なくすることに有利となる。
【００２４】
この構成で沈胴状態の鏡筒を小型化するためには、まずレンズ沈胴時の奥行き方向の厚さを薄くする必要がある。そのためには光学性能を考慮しつつ、各レンズ群の移動量をバランスよく配分してズームレンズを構成しなければならない。そのため、従来技術で広角端から望遠端への移動量が大きかった第３レンズ群の移動量を小さくして、代わりに第１、２レンズ群の間の間隔変化による変倍負担を確保することで高変倍比化とコンパクト化に大きく貢献する。
【００２５】
条件式（１）の上限を上回らないようにして、第２レンズ群の変倍負担の過剰を抑え、パワー増大による収差の発生、特に望遠端での像面湾曲や倍率色収差などの軸外諸収差の発生を抑えることが好ましい。
【００２６】
条件式（１）の下限を下回らないようにして、第３レンズ群の移動量増大による鏡筒サイズの大型化や、第３レンズ群のパワー増大による収差の発生、特に望遠端での球面収差等の軸上収差の発生を抑えることが好ましい。
【００２７】
以下を満足すると更に良い。
１．３＜（β2t／β2w）／（β3t／β3w）＜２．０  ・・・（１’）
以下を満足するとなお良い。
１．５＜（β2t／β2w）／（β3t／β3w）＜１．９  ・・・（１”）
これらにより、さらに上述の効果を奏することができる。
【００２８】
また、条件式（２）の下限を下回らないようにして、変倍比を確保することが好ましい、条件式（２）の上限を上回らないようにして、各群への収差補正負担を抑えることが好ましい。
【００２９】
以下を満足すると更に良い。
５．０＜ｆt／ｆw＜１０．０  ・・・（２’）
以下を満足するとなお良い。
６．０＜ｆt／ｆw＜８．０  ・・・（２”）
これらにより、さらに上述の効果を奏することができる。
【００３０】
また、第２の目的の達成のため、第４のズームレンズは、物体側から順に、正の屈折力を有する第１レンズ群と、負の屈折力を有する第２レンズ群と、正の屈折力を有する第３レンズ群と、正の屈折力を有する第４レンズ群と、を有し、広角端から望遠端への変倍に際して、前記各レンズ群の間の間隔が変化し、前記第１レンズ群は負レンズと正レンズの２枚のレンズからなり、以下の条件式を満足する。
【００３１】
０．２０＜Ｄ2w／ｆt＜０．３５  ・・・（３）
ただし、
Ｄ2wは、広角端における第２レンズ群と第３レンズ群の間の光軸上での空気間隔、
ｆtは望遠端でのズームレンズ全系の焦点距離、
である。
【００３２】
以下、第４のズームレンズにおいて上記構成をとった理由と作用を説明する。本発明では変倍比を確保し易くするために、物体側から順に、正の第１レンズ群、負の第２レンズ群、正の第３レンズ群、正の第４レンズ群を有し、各群の間の間隔を変化させることで変倍を行う構成を採用した。このような構成をとることにより、各群に変倍の負担を効率的に分担させることで変倍時の収差変動を小さく抑えつつ、また各群の移動量が大きくなることを防ぎ光学系のコンパクト化につながる。
【００３３】
条件式（３）の上限を上回らないようにすることで、広角端における全長の増大を抑えると共に、第１レンズ群、第２レンズ群に入射する光線高を抑え、第１レンズ群、第２レンズ群のレンズ径を小さくし、ふち肉確保のため厚さも抑えやすくなり、ズームレンズの小型化や、沈胴時の薄型化に有利となる。
【００３４】
条件式（３）の下限を下回らないようにすることで、高変倍化した際の各群のパワー（屈折力）の増大を抑え、球面収差など収差補正を行いやすくなる。
【００３５】
以下を満足すると更に良い。
０．２５  ＜  Ｄ2w／ｆt  ＜  ０．３４・・・（３’）
以下を満足するとなお良い。
０．２８  ＜  Ｄ2w／ｆt  ＜  ０．３３・・・（３”）
これらにより、さらに上述の効果を奏することができる。
【００３６】
また、上述の第２の目的達成をしつつ、変倍比を確保して、以下の構成とすることが好ましい。このため、第５のズームレンズは、第１、２または４のズームレンズにおいて、以下の条件式を満足することが好ましい。
【００３７】
３．０＜ｆt／ｆw＜１２．０  ・・・（２）
ただし、
ｆwは、広角端でのズームレンズ全系の焦点距離、
ｆtは、望遠端でのズームレンズ全系の焦点距離、
である。
【００３８】
以下を満足すると更に良い。
５．０＜ｆt／ｆw＜１０．０  ・・・（２’）
以下を満足するとなお良い。
６．０＜ｆt／ｆw＜８．０  ・・・（２”）
これらにより、さらに上述の効果を奏することができる。
【００３９】
また、第１の目的と第２の目的の達成を有利とするために、以下の構成とすることがより好ましい。このため、第６のズームレンズは、第１、２または５のズームレンズにおいて、以下の条件式を満足することが好ましい。
【００４０】
１．２＜（β2t／β2w）／（β3t／β3w）＜２．３  ・・・（１）
ただし、
β2wは、第２レンズ群の広角端での横倍率、
β2tは、第２レンズ群の望遠端での横倍率、
β3wは、第３レンズ群の広角端での横倍率、
β3tは、第３レンズ群の望遠端での横倍率、
である。
【００４１】
また、第７のズームレンズは、第１〜第６のズームレンズにおいて、前記第３レンズ群と一体で移動する明るさ絞りを備えたことが好ましい。これにより、絞りを移動させる構成を簡単にでき、射出瞳の調整や、第１、２レンズ群の径の小型化の両立に効果的である。
【００４２】
また、小型化、高変倍比化、光学性能の確保等をより良好にしやすくするために、上述の構成に加え、更に以下の構成とすることがより好ましい。
【００４３】
第１レンズ群のパワーについては以下の構成とすることが好ましい。このため、第８のズームレンズは、第１〜第７のズームレンズにおいて、以下の条件式を満足することが好ましい。
【００４４】
０．４０＜ｆ1／ｆt＜０．９０  ・・・（４）
ただし、
ｆ1は、第１レンズ群の焦点距離、
ｆtは、望遠端でのズームレンズ全系の焦点距離、
である。
【００４５】
条件式（４）の上限を上回らないようにすることで、第１レンズ群のパワーを確保し、ズームレンズ全系の全長の変化を抑えて鏡筒の小型化に有利となる。また、第２レンズ群のパワーを抑えても第２レンズ群での変倍負担の確保が容易となり、第２レンズ群での収差低減や小型化に有利となる。
【００４６】
条件式（４）の下限を下回らないようにすることで、第１レンズ群のパワーを抑え、望遠端での球面収差やコマ収差の発生を抑えられ、良好な光学性能を確保し易くなる。
【００４７】
以下を満足するとさらに良い。
０．５０＜ｆ1／ｆt＜０．８０  ・・・（４’）
以下を満足するとなお良い。
０．５５＜ｆ1／ｆt＜０．７０  ・・・（４”）
これらにより、さらに上述の効果を奏することができる。
【００４８】
また、第２レンズ群のパワーについては以下の構成とすることが好ましい。このため、第９のズームレンズは、第１〜第８のズームレンズにおいて、以下の条件式を満足することが好ましい。
【００４９】
０．１０＜｜ｆ2／ｆt｜＜０．２０  ・・・（５）
ただし、
ｆ2は、第２レンズ群の焦点距離、
ｆtは、望遠端でのズームレンズ全系の焦点距離、
である。
【００５０】
条件式（５）の上限を上回らないようにすることで、第２レンズ群のパワーを確保し変倍のためのレンズ群間隔の変化量を抑え、鏡筒のコンパクト化に有利となる。また、第１レンズ群のパワーを抑えても変倍負担を得やすくなり、第１レンズ群での収差発生の低減に有利となる。
【００５１】
条件式（５）の下限を下回らないようにすることで、屈折力を適度に抑え、収差発生を抑えやすくなる。また、縦倍率が小さくなりすぎることを抑え、間隔変化量に対する変倍比の確保に有利となる。
【００５２】
以下を満足すると更に良い。
０．１２＜｜ｆ2／ｆt｜＜０．１９  ・・・（５’）
以下を満足するとなお良い。
０．１５＜｜ｆ2／ｆt｜＜０．１８  ・・・（５”）
これらにより、さらに上述の効果を奏することができる。
【００５３】
また、第３レンズ群のパワーについては以下の構成とすることが好ましい。このため、
第１０のズームレンズは、第１〜第９のズームレンズにおいて、以下の条件式を満足することが好ましい。
【００５４】
０．１０＜ｆ3／ｆt＜０．３０  ・・・（６）
ただし、
ｆ3は、第３レンズ群の焦点距離、
ｆtは、望遠端でのズームレンズ全系の焦点距離、
である。
【００５５】
条件式（６）の上限を上回らないようにすることで、パワーを確保し変倍のための群間隔の変化量を抑えやすくなる。
【００５６】
条件式（６）の下限を下回らないようにすることで、第３レンズ群での収差発生を抑えやすくなる。また、縦倍率が小さくなりすぎることを抑え、間隔変化量に対する変倍比の確保に有利となる。
【００５７】
以下を満足すると更に良い。
０．１５＜ｆ3／ｆt＜０．２８  ・・・（６’）
以下を満足するとなお良い。
０．２０＜ｆ3／ｆt＜０．２５  ・・・（６”）
これらにより、さらに上述の効果を奏することができる。
【００５８】
また、第４レンズ群のパワーについては以下の構成とすることが好ましい。このため、第１１のズームレンズは、第１〜第１０のズームレンズにおいて、以下の条件式を満足することが好ましい。
【００５９】
０．１０＜ｆ4／ｆt＜０．７０  ・・・（７）
ただし、
ｆ4は、第４レンズ群の焦点距離、
ｆtは、望遠端でのズームレンズ全系の焦点距離、
である。
【００６０】
条件式（７）の上限を上回らないようにすることで、第４レンズ群のパワーを確保し、全ズーム領域における非点収差や歪曲収差の補正不足を抑えられる。
【００６１】
条件式（７）の下限を下回らないようにすることで、第４レンズ群のパワーを適度に抑え、全ズーム領域における非点収差や歪曲収差の補正過剰を抑えられる。
【００６２】
以下を満足すると更に良い。
０．３０＜ｆ4／ｆt＜０．６５  ・・・（７’）
以下を満足するとなお良い。
０．４５＜ｆ4／ｆt＜０．６０  ・・・（７”）
これらにより、さらに上述の効果を奏することができる。
【００６３】
また、第４レンズ群はプラスチック材料で形成してもよい。特に、レンズ１枚構成とすることが好ましい。ＣＣＤやＣＭＯＳ等の電子撮像素子を用いる場合、第４レンズ群に、射出瞳位置を適切な位置に配置して撮像素子に効率よく光線を入射させる機能を持たせることが好ましい。そのような機能を果たすためには、上述した条件式（７）のような範囲内にパワーが設定されていれば比較的大きなパワーは必要とせず、プラスチックレンズのような屈折率の低い硝材を用いて構成することも可能である。
【００６４】
また、第４レンズ群にプラスチックレンズを用いればコストを安く抑えられ、より安価なズームレンズを提供することが可能となる。
【００６５】
また、第１レンズ群を以下の構成とすることが好ましい。このため、第１２のズームレンズは、第１〜第１１のズームレンズにおいて、前記第１レンズ群が、物体側から順に負レンズ、正レンズの２枚のレンズからなる両凸形状の接合レンズであることが好ましい。
【００６６】
第１２のズームレンズにおいて上記構成をとった理由と作用を説明する。第１レンズ群のパワーの確保を容易とし、正のパワーを物体側と像側の両面に負担させることで望遠端付近での球面収差を抑えやすくなる。また、負レンズを含め、且つ接合レンズとすることで、諸収差の補正を行いやすく、また、偏心による影響も抑えやすくなる。
【００６７】
さらに、第１３のズームレンズは、第１２のズームレンズにおいて、以下の条件式を満足することが好ましい。
【００６８】
３８．０＜νd1p−νd1n  ・・・（８）
ただし、
νd1pは、第１レンズ群の正レンズのｄ線に対するアッベ数、
νd1nは、第１レンズ群の負レンズのｄ線に対するアッベ数、
である。
【００６９】
条件式（８）は軸上色収差の補正、及び軸外の倍率色収差補正に関する条件式である。第１レンズ群の大きな正パワーにより発生する色収差をこの群内で良好に補正するためには、正レンズに色分散性の小さな材料、負レンズに色分散性の大きな材料を用いることが好ましい。具体的には、２つのレンズのアッベ数の差を規定する条件式（８）を満足することが好ましい。
【００７０】
条件式（８）の下限を下回らないようにすることで、色収差の補正を良好になし得、変倍比の確保に有利となる。
【００７１】
以下を満足すると更に良い。
４７．０＜νd1p−νd1n  ・・・（８’）
以下を満足するとなお良い。
５８．０＜νd1p−νd1n  ・・・（８”）
これらにより、さらに上述の効果を奏することができる。
【００７２】
また、第１レンズ群の正レンズについては、以下の構成とすることが好ましい。このため、第１４のズームレンズは、第２〜第１３のズームレンズにおいて、以下の条件式を満足することが好ましい。
【００７３】
６２．０＜νd1p＜９５．０  ・・・（９）
ただし、
νd1pは、第１レンズ群中の正レンズのｄ線に対するアッベ数、
である。
【００７４】
条件式（９）の上限を上回らないようにすることで、材料の量産や入手が容易になり、コスト低減に有利となる。
【００７５】
条件式（９）の下限を下回らないようにすることで、色分散を抑え、色収差の低減に有
利となる。
【００７６】
以下を満足すると更に良い。
６５．０＜νd1p＜９３．０  ・・・（９’）
以下を満足するとなお良い。
８０．０＜νd1p＜９０．０  ・・・（９”）
これらにより、さらに上述の効果を奏することができる。
【００７７】
また、第１５のズームレンズは、第１〜第１４のズームレンズにおいて、前記第３レンズ群中の最も物体側に、物体側面が凸面であり、以下の条件式を満足する正レンズを備えることが好ましい。
【００７８】
６２．０＜νd3p＜９５．０  ・・・（１０）
ただし、
νd3pは、第３レンズ群中の前記正レンズのｄ線に対するアッベ数、
である。
【００７９】
第１５のズームレンズにおいて上記構成をとった理由と作用を説明する。第３レンズ群には、第２レンズ群から発散される軸上光束が入射する。そのため、第３レンズ群の最も物体側のレンズを物体側に凸の正レンズとして、発散光束に収斂作用を与えることで第３レンズ群の小型化に有利となる。
【００８０】
条件式（１０）の上限を上回らないようにすることで、材料の量産や入手が容易になり、コスト低減に効果がある。
【００８１】
条件式（１０）の下限を下回らないようにすることで、色分散を抑え、軸上色収差を低減し、全変倍域にわたって良好な光学性能を得やすくなる。
【００８２】
以下を満足すると更に良い。
６５．０＜νd3p＜９３．０  ・・・（１０’）
以下を満足するとなお良い。
８０．０＜νd3p＜９０．０  ・・・（１０”）
これらにより、さらに上述の効果を奏することができる。
【００８３】
また、第１レンズ群に負レンズを有する場合は、以下の構成とすることが好ましい。このため、第１６のズームレンズは、第１２〜第１５のズームレンズにおいて、前記第１レンズ群が以下の条件式を満足する負レンズを有することが好ましい。
【００８４】
１．８５＜ｎd1n＜２．１０  ・・・（１１）
ただし、
ｎd1nは、第１レンズ群中の負レンズのｄ線に対する屈折率、
である。
【００８５】
条件式（１１）の上限を上回らないようにすることで、材料の量産や入手が容易となり、コスト低減に有利となる。
【００８６】
条件式（１１）の下限を下回らないようにすることで、所望の屈折力を得てもレンズ面の曲率絶対値を小さく抑えられ、広角端での歪曲収差や像面湾曲、広角端及び望遠端でのコマ収差等の発生を低減できる。
【００８７】
以下を満足すると更に良い。
１．９０＜ｎd1n＜２．０５  ・・・（１１’）
以下を満足するとなお良い。
１．９５＜ｎd1n＜２．０５  ・・・（１１”）
これらにより、さらに上述の効果を奏することができる。
【００８８】
また、第２レンズ群について、以下の構成とすることがより好ましい。このため、第１７のズームレンズは、第１〜第１６のズームレンズにおいて、前記第２レンズ群中の最も物体側に、物体側面が凹面であり、以下の条件式を満足する負レンズを備えることが好ましい。
【００８９】
１．７６＜ｎd2n＜２．００  ・・・（１２）
ただし、
ｎd2nは、第２レンズ群中の前記負レンズのｄ線に対する屈折率、
である。
【００９０】
第１７のズームレンズにおいて上記構成をとった理由と作用を説明する。第２レンズ群の最も物体側に物体側に凹面を向けた負レンズを配置することにより、画角を確保しながら第２レンズ群の軸上での厚みの小型化に有利となる。
【００９１】
このとき、この負レンズは、第２レンズ群中で入射光線高が高くなるので、この負レンズでの曲率の増大を抑えることが軸外諸収差の補正に有利となる。条件式（１２）の上限を上回らないようにすることで、材料の量産や入手が容易となり、コスト低減に有利となる。条件式（１２）の下限を下回らないようにすることで、屈折力を確保してもレンズ面の曲率絶対値を小さくでき、広角端での歪曲収差や像面湾曲、広角端及び望遠端でのコマ収差等の発生を抑えやすくなる。
【００９２】
以下を満足すると更に良い。
１．８０＜ｎd2n＜１．９５  ・・・（１２’）
以下を満足するとなお良い。
１．８３＜ｎd2n＜１．９０  ・・・（１２”）
これらにより、さらに上述の効果を奏することができる。
【００９３】
また、第１８のズームレンズは、第１〜第１７のズームレンズにおいて、前記第２レンズ群中の最も像側、もしくは、像側から２番目に、以下の条件式を満足する正レンズを備えることが好ましい。
【００９４】
１．８０＜ｎd2p＜２．１５  ・・・（１３）
ただし、
ｎd2pは、第２レンズ群中の正レンズのｄ線に対する屈折率、
である。
【００９５】
第１８のズームレンズにおいて上記構成をとった理由と作用を説明する。第２レンズ中の最も像側、もしくは、像側から２番目に正レンズは配置することで、負の第２レンズ群で発生しやすい収差の低減や、主点の調整による小型化に有利となる。
【００９６】
条件式（１３）の上限を上回らないようにすることで、材料の量産や入手が容易となり、コスト低減に有利となる。
【００９７】
条件式（１３）の下限を下回らないようにすることで、所望の屈折力を得てもレンズ面
の曲率絶対値を小さく抑えられ、広角端での歪曲収差や像面湾曲、広角端及び望遠端でのコマ収差等の発生を低減できる。
【００９８】
以下を満足すると更に良い。
１．８４＜ｎd2p＜２．１０  ・・・（１３’）
以下を満足するとなお良い。
１．９０＜ｎd2p＜２．１０  ・・・（１３”）
これらにより、さらに上述の効果を奏することができる。
【００９９】
また、第１９のズームレンズは、第１〜第１８のズームレンズにおいて、前記第２レンズ群中の最も物体側に、以下の条件式を満足する両凹負レンズを配置したことが好ましい。
【０１００】
−１．０＜ＳＦ2n1＜０．８  ・・・（１４）
ただし、
ＳＦ2n1＝（Ｒ2n1f＋Ｒ2n1r）／（Ｒ2n1f−Ｒ2n1r）で定義され、
Ｒ2n1fは、第２レンズ群中、最も物体側に配置された負レンズの物体側面の近軸曲率半径、
Ｒ2n1rは、第２レンズ群中、最も物体側に配置された負レンズの像側面の近軸曲率半径、
である。
【０１０１】
第１９のズームレンズにおいて上記構成をとった理由と作用を説明する。第２レンズ群中の最も物体側に両凹負レンズを配置することで、第２レンズ群の負パワーの確保や小径化に有利となる。また、第２レンズ群を第１レンズ群に近づけやすくなり、広角端での全長や沈胴時の小型化に有利となる。
【０１０２】
条件式（１４）の上限を上回らないようにすることで、負レンズのパワーを確保しても像側面の曲率絶対値が大きくなりすぎることを抑え、特に広角端での歪曲収差や像面湾曲などの軸外収差の発生を抑えやすくなる。
【０１０３】
条件式（１４）の下限を下回らないようにすることで、物体側面の曲率絶対値が大きくなりすぎることを抑え、広角端側でのコマ収差、非点収差の発生を抑えやすくなる。
【０１０４】
以下を満足すると更に良い。
−０．８＜ＳＦ2n1＜０．７  ・・・（１４’）
以下を満足するとなお良い。
−０．５＜ＳＦ2n1＜０．５  ・・・（１４”）
これらにより、さらに上述の効果を奏することができる。
【０１０５】
また、この第２レンズ群が、最も物体側の負レンズの他に、正レンズと負レンズを有する場合、以下の構成とするよい。このため、第２０のズームレンズは、第１９のズームレンズにおいて、前記第２レンズ群中が、前記両凹負レンズの像側に正レンズと負レンズを有し、前記両凹負レンズが以下の条件式を満足することが好ましい。
【０１０６】
−１．０＜ＳＦ2n1＜０．０  ・・・（１４’’’）
【０１０７】
第２０のズームレンズにおいて上記構成をとった理由と作用を説明する。物体側の負レンズと、それに後続する２つのレンズとで共同して光学性能の向上に有利となり、高性能と小型化の両立を向上でき、好ましい。
【０１０８】
条件式（１４’’’）の上限を上回らないようにすることで、第２レンズ群の光軸上での厚みを抑えることに有利となる。
【０１０９】
条件式（１４’’’）の下限を下回らないようにすることで、物体側の凹面の曲率絶対値の増大を抑え、光学性能の確保に有利となる。
【０１１０】
また、第２１のズームレンズは、第２〜第２０のズームレンズにおいて、以下の条件式を満足することが好ましい。
【０１１１】
−０．８＜ＳＦ1p＜−０．１  ・・・（１５）
ただし、
ＳＦ1p＝（Ｒ1pf＋Ｒ1pr）／（Ｒ1pf−Ｒ1pr）で定義され、
Ｒ1pfは前記第１レンズ群中の正レンズの物体側面の近軸曲率半径、
Ｒ1prは前記第１レンズ群中の正レンズの像側面の近軸曲率半径、
である。
【０１１２】
条件式（１５）の上限を上回らないようにすることで、広角端側での、レンズ像側面で発生する像面湾曲などの収差の補正に有利になる。
【０１１３】
一方、条件式（１５）の下限を下回らないようにすることで、望遠端側での球面収差の補正に有利となり、高変倍比化に有利となる。また、第１レンズ群の主点位置が物体側になることを抑えられ、広角端において第１レンズ群と第２レンズ群の主点間隔を近づけやすくなり、所望の画角を確保しても光線高を低くしやすくなる。従って、第１レレンズ群のレンズのふち肉の確保をしても、軸上肉厚を小さくでき、小型化に有利となる。
【０１１４】
以下を満足するとさらに良い。
−０．７５＜ＳＦ1p＜−０．１１  ・・・（１５’）
以下を満足するとなお良い。
−０．３５＜ＳＦ1p＜−０．１３  ・・・（１５”）
これらにより、さらに上述の効果を奏することができる。
【０１１５】
また、第２レンズ群の変倍作用については、以下の構成とするとよい。このため、第２２のズームレンズは、第１〜第２１のズームレンズにおいて、以下の条件式を満足することが好ましい。
【０１１６】
２．６＜β2t／β2w＜６．０  ・・・（１６）
ただし、
β2wは、第２レンズ群の広角端での横倍率、
β2tは、第２レンズ群の望遠端での横倍率、
である。
【０１１７】
条件式（１６）の上限を上回らないようにして、第２レンズ群のパワー増大による収差の発生、特に望遠端での像面湾曲や倍率色収差などの軸外諸収差の発生を抑えることが好ましい。
【０１１８】
条件式（１６）の下限を下回らないようにして、他のレンズ群への変倍作用の負担を軽減することが好ましい。第３レンズ群の変倍負担を抑えることで、望遠端での球面収差等の軸上収差の発生の低減に有利となる。また、第４レンズ群の変倍担を抑えることで、第４レンズ群のパワーを適度に抑え、全領域における非点収差の補正過剰を抑えやすくなる
。
【０１１９】
以下を満足すると更に良い。
２．６＜β2t／β2w＜５．０  ・・・（１６’）
以下を満足するとなお良い。
２．９＜β2t／β2w＜３．５  ・・・（１６”）
これらにより、さらに上述の効果を奏することができる。
【０１２０】
また、第３レンズ群の変倍作用については、以下の構成とすると良い。このため、第２３のズームレンズは、第１〜第２２のズームレンズにおいて、以下の条件式を満足することが好ましい。
【０１２１】
１．２＜β3t／β3w＜３．０  ・・・（１７）
ただし、
β2wは、第３レンズ群の広角端での横倍率、
β2tは、第３レンズ群の望遠端での横倍率、
である。
【０１２２】
条件式（１７）の上限を上回らないようにすることで、第３レンズ群のパワー増大による収差の発生、特に望遠端での球面収差等の軸上収差の発生を抑えやすくなる。
【０１２３】
条件式（１７）の下限を下回らないようにすることで、他のレンズへの変倍作用の負担を低減することが好ましい。第２レンズ群の変倍負担を抑えることで、望遠端での像面湾曲や倍率色収差などの軸外諸収差の発生の低減に有利となる、また、第４レンズ群の変倍負担を抑えることで、第４レンズ群のパワーを適度に抑え、全領域における非点収差の補正過剰を抑えやすくなる。
【０１２４】
以下を満足すると更に良い。
１．５＜β3t／β3w＜２．５  ・・・（１７’）
以下を満足するとなお良い。
１．７＜β3t／β3w＜２．０  ・・・（１７”）
これらにより、さらに上述の効果を奏することができる。
【０１２５】
また、第４レンズ群の変倍作用については、以下の構成を満足すると良い。このため、第２４のズームレンズは、第１〜第２３のズームレンズにおいて、以下の条件式を満足することが好ましい。
【０１２６】
０．７＜β4t／β4w＜１．７  ・・・（１８）
ただし、
β4wは、第４レンズ群の広角端での横倍率、
β4tは、第４レンズ群の望遠端での横倍率、
である。
【０１２７】
第２４のズームレンズにおいて上記構成をとった理由と作用を説明する。第４レンズ群に適度な変倍負担を持たせることで、第２、第３レンズ群の変倍負担を抑えやすくなり、収差変動を抑えながら変倍比の確保に有利となる。
【０１２８】
条件式（１８）の上限を上回らないようにすることで、第４レンズ群の変倍負担を抑え、収差を抑えやすくなる。第４レンズ群をフォーシング時に移動する群とする場合、フォーカス時の像面湾曲の変動を抑えることに有利となる。
【０１２９】
条件式（１８）の下限を下回らないようにすることで、他のレンズ群の変倍負担を軽減することができ好ましい。第２レンズ群の変倍負担を抑えることで、望遠端での像面湾曲や倍率色収差などの軸外諸収差の発生の低減に有利となる。また、第３レンズ群の変倍負担を抑えることで、特に望遠端での球面収差等の軸上収差の発生の低減に有利となる。
【０１３０】
以下を満足すると更に良い。
０．８＜β4t／β4w＜１．５  ・・・（１８’）
以下を満足するとなお良い。
１．０＜β4t／β4w＜１．３  ・・・（１８”）
これらにより、さらに上述の効果を奏することができる。
【０１３１】
また、望遠端での全系の焦点距離に対する、広角端における第２レンズ群と第３レンズ群の光軸上での空気間隔と、望遠端における第１レンズ群と第２レンズ群の光軸上での空気間隔の和については、以下の構成とすると良い。このため、第２５のズームレンズは、第１〜第２４のズームレンズにおいて、以下の条件式を満足することが好ましい。
【０１３２】
０．４＜（Ｄ2w＋Ｄ1t）／ｆt＜０．９  ・・・（１９）
ただし、
Ｄ2wは、広角端における第２レンズ群と第３レンズ群との光軸上での空気間隔、
Ｄ1tは、望遠端における第１レンズ群と第２レンズ群との光軸上での空気間隔、
ｆtは、望遠端でのズームレンズ全系の焦点距離、
である。
【０１３３】
条件式（１９）の上限を上回らないようにすることで、移動するレンズ群の移動量を抑え、鏡筒の厚さ方向の大型化を抑えやすくなる。
【０１３４】
条件式（１９）の下限を下回らないようにすることで、高変倍比を達成しつつ各レンズ群のパワーを抑え、収差変動を抑えやすくなる。
【０１３５】
以下を満足すると更に良い。
０．５＜（Ｄ2w＋Ｄ1t）／ｆt＜０．７  ・・・（１９’）
以下を満足するとなお良い。
０．５５＜（Ｄ2w＋Ｄ1t）／ｆt＜０．６５  ・・・（１９”）
これらにより、さらに上述の効果を奏することができる。
【０１３６】
また、望遠端での全系の焦点距離に対する、広角端における第２レンズ群と第３レンズ群の光軸上での空気間隔については、以下の構成とすると良い。このため、第２６のズームレンズは、第１〜第２５のズームレンズにおいて、以下の条件式を満足することが好ましい。
【０１３７】
０．２＜Ｄ1t／ｆt＜０．５  ・・・（２０）
ただし、
Ｄ1tは、望遠端における第１レンズ群と第２レンズ群との光軸上での空気間隔、
ｆtは、望遠端でのズームレンズ全系の焦点距離、
である。
【０１３８】
条件式（２０）の上限を上回らないようにすることで、望遠端における全長を小さいしやすくなり、鏡筒の厚さ方向のサイズの小型化に有利となる。
【０１３９】
条件式（２０）の下限を下回らないようにすることで、高変倍比化しても各レンズ群のパワーを抑えられ、球面収差など収差発生を抑えやすくなる。
【０１４０】
以下を満足すると更に良い。
０．２＜Ｄ1t／ｆt＜０．４  ・・・（２０’）
以下を満足するとなお良い。
０．２５＜Ｄ1t／ｆt＜０．３５  ・・・（２０”）
これらにより、さらに上述の効果を奏することができる。
【０１４１】
また、望遠端での全系の焦点距離に対する、レンズの全長については、以下の構成とすると良い。このため、第２７のズームレンズは、第１〜第２６のズームレンズにおいて、以下の条件式を満足することが好ましい。
【０１４２】
０．７＜ＴL／ｆt＜１．５  ・・・（２１）
ただし、
ＴLは、望遠端における第１レンズ群の最も物体側のレンズ面の面頂から像面までの光
軸上の距離、
ｆtは、望遠端でのズームレンズ全系の焦点距離、
である。
【０１４３】
第１レンズ群の上述の移動により、第２レンズ群等での変倍作用を確保しやすくなる。
【０１４４】
条件式（２１）の上限を上回らないようにすることで、望遠端におけるズームレンズ全長を抑え、鏡筒の厚さ方向のサイズの大型化を抑えやすくなる。
【０１４５】
条件式（２１）の下限を下回らないようにすることで、高変倍比化しても各レンズ群のパワーを抑えられ、球面収差など収差発生を抑えやすくなる。
【０１４６】
以下を満足すると更に良い。
０．９＜ＴL／ｆt＜１．３  ・・・（２１’）
以下を満足するとなお良い。
１．０＜ＴL／ｆt＜１．２  ・・・（２１”）
これらにより、さらに上述の効果を奏することができる。
【０１４７】
また、第２８のズームレンズは、第１〜第１１のズームレンズにおいて、以下の構成とすることが好ましい。前記第１レンズ群を負レンズと正レンズを接合した接合ダブレットからなることが好ましい。
【０１４８】
第２８のズームレンズにおいて上記構成をとった理由と作用を説明する。第１レンズ群を負レンズと正レンズの接合レンズとすると、高変倍化による望遠端の長焦点化の際に目立ちやすくなる軸上色収差補正を効果的に行うことができる。また、組み立て誤差によるレンズ相対偏心での光学性能の劣化を抑えることができ、歩留まりの向上やコストダウンに貢献する。
【０１４９】
なお、第１レンズ群の負レンズと正レンズを接合しない場合は、広角端での歪曲収差、コマ収差、及び望遠端でのコマ収差をより効果的に補正することに有利となる。
【０１５０】
また、第２レンズ群について以下の構成とすることが好ましい。このため、第２９のズームレンズは、第４のズームレンズにおいて、前記第２レンズ群が３枚以下のレンズからなることが好ましい。これにより、第２レンズ群の小型化とコスト低減に有利となる。
【０１５１】
さらには、第３０のズームレンズは、第１〜第２９のズームレンズにおいて、前記第２レンズ群が、物体側から順に、負レンズ、負レンズ、正レンズからなることが好ましい。
【０１５２】
これにより、第２レンズ群の負パワーを２枚の負レンズで分担、正レンズを最像側に配置することで、初収差の補正と主点を物体よりにすることによる全長の短縮化に有利となる。
【０１５３】
もしくは、以下の構成とすることが好ましい。第２９のズームレンズは、第１〜第２７のズームレンズにおいて、前記第２レンズ群が、物体側から順に、負レンズ、正レンズ、負レンズからなることが好ましい。
【０１５４】
これにより、第２レンズ群を対称配置のレンズ配置とすることで球面収差等の諸収差の変倍時変動を抑えやすくなる。
【０１５５】
もしくは、以下の構成とすることが好ましい。第３２のズームレンズは、第１〜第１９のズームレンズにおいて、前記第２レンズ群が負レンズと正レンズの２枚のレンズからなることが好ましい。これにより、第２レンズ群での収差を抑えつつ、第２レンズ群の小型化に有利となる。
【０１５６】
また、第３レンズ群について以下の構成とすることが好ましい。このため、第３３のズームレンズは、第１〜第３２のズームレンズにおいて、前記第３レンズ群が３枚以下のレンズからなることが好ましい。これにより、鏡筒の薄型化に有利となる。
【０１５７】
特に、以下の構成とすることが好ましい。このため、第３４のズームレンズは、第３３のズームレンズにおいて、前記第３レンズ群が物体側から順に、正レンズ、正レンズ、負レンズからなり、前記負レンズが隣の前記正レンズと接合し、接合ダブレットを構成したことが好ましい。
【０１５８】
正レンズと負レンズを接合することで、軸上色収差の補正をより効果的に行うことができる。また、正レンズのパワーを２枚のレンズに分散させ、正レンズと負レンズを接合レンズとすることで、組み立て工程でのレンズ同士の相対偏心による光学性能の劣化を防ぐことができるため、歩留まりの向上やコストダウンにつながる。
【０１５９】
また、第４レンズ群については、以下の構成とすることが好ましい。このため、第３５のズームレンズは、第１〜第３４のズームレンズにおいて、前記第４レンズ群が１枚の正レンズからなることが好ましい。これにより、沈胴時の小型化に有利となる。
【０１６０】
また、ズームレンズを４群ズームレンズとする場合は、第４レンズ群が最終レンズ群となるが、射出瞳を像面から遠くする機能を持たせることになるが、レンズ１枚でもこの機能を持たせられるので小型化に有利となる。
【０１６１】
また、第４レンズ群をフォーカシング時に移動する構成とした場合、移動レンズを１枚としたことで、フォーカシング時の駆動負担が軽減できる。
【０１６２】
また、第３６のズームレンズは、第１〜第３５のズームレンズにおいて、前記第１レンズ群は、非球面レンズ面を有することが好ましい。これにより、特に、望遠端側で発生しやすい球面収差の補正に有利となる。
【０１６３】
また、第３７のズームレンズは、第１〜第３６のズームレンズにおいて、前記第２レン
ズ群は、非球面レンズ面を有することが好ましい。
【０１６４】
第３７のズームレンズにおいて上記構成をとった理由と作用を説明する。全長を抑えながら変倍比の確保を行おうとすると、第２レンズ群の光線の入射位置の変化が大きくなりやすい。このレンズ群に非球面を配置することで、広角端側での軸外収差の補正に有利となる。
【０１６５】
また、第３８のズームレンズは、第１〜第３７のズームレンズにおいて、前記第３レンズ群は、非球面レンズ面を有することが好ましい。これにより、全体的に球面収差、コマ収差の補正に有利となる。
【０１６６】
また、第３９のズームレンズは、第３８のズームレンズにおいて、前記第３レンズ群中の最も物体側のレンズが、両面非球面の正単レンズであることが好ましい。
【０１６７】
第３９のズームレンズにおいて上記構成をとった理由と作用を説明する。１枚のレンズの両側面を非球面とすることで、群内レンズ間の相対偏心による光学性能劣化を小さく抑えながら、球面収差とコマ収差をより良好に補正することが可能となる。
【０１６８】
また、以下の構成とすることが好ましい。このため、第４０のズームレンズは、第１〜第３９のズームレンズにおいて、前記第４レンズ群は、非球面レンズ面を有することが好ましい。これにより、軸外収差の補正や、射出瞳位置の変動を低減する等、光学性能の維持に有利となる。
【０１６９】
また、第４１のズームレンズは、第１〜第４０のズームレンズにおいて、前記第１レンズ群、第２レンズ群、第３レンズ群、第４レンズ群が変倍時に移動し、前記第３レンズ群と一体で光軸方向に移動する明るさ絞りを備えたことが好ましい。
【０１７０】
第４１のズームレンズにおいて上記構成をとった理由と作用を説明する。各レンズ群に効率よく変倍作用を与え、かつ全変倍領域において収差を良好に補正しやすくなり、高変倍化に有利となる。
【０１７１】
また、明るさ絞りを第３レンズ群と一体で移動させることにより、倍率色収差や歪曲収差の効果的補正が可能になって性能面で効果を出せるだけでなく、入射瞳位置、射出瞳位置を適切にコントロールすることが可能となる。すなわち、広角端における軸外光束の光線高と望遠端の軸外光束の光線高のバランスがとれるようになり、第１レンズ群の外径と第４レンズ群の外径をバランスよくコンパクトに構成することが可能となる。特に広角端での第１レンズ群の外径を小さくすることはレンズの厚み方向の大きさのコンパクト化にも効果的につながる。
【０１７２】
また、変倍の際の射出瞳位置の変動を小さくするようにコントロールすることもできるようになるため、ＣＣＤやＣＭＯＳ等を用いる場合、入射する光線角度を適当な範囲に保ち画面の隅での明るさのかげり（シェーディング）の発生を防ぐことができ、電子撮像素子に好適となる。また、第３レンズ群のコンパクト化や第３レンズの移動による収差変動を抑えやすくなる。
【０１７３】
さらに、第４２のズームレンズは、第４１のズームレンズにおいて、前記広角端から前記望遠端への変倍に際して、前記第１レンズ群は広角端よりも望遠端で物体側にあるように移動し、前記第２レンズ群は移動し、前記第３レンズ群は物体側へのみ移動し、前記第４レンズ群は移動することが好ましい。これにより、第２レンズ群、第３レンズ群への変倍作用を確保しつつ全体の収差バランスも調整しやすくなる。
【０１７４】
広角端から望遠端への変倍において、第１レンズ群は広角端よりも望遠端で物体側にあるように移動させるのが良い。その際、物体側へのみ移動させても良いし、像側に凸の軌跡で移動させても良い。第２レンズ群は像側へのみ移動させても良いし、像側に凸の軌跡で移動させても良い。
【０１７５】
第３レンズ群は物体側へのみに移動させるのが良い。第４レンズ群は物体側へのみ移動させても良いし、像側へのみ移動させても良い。あるいは物体側に凸、または像側に凸の軌跡で移動させても良い。
【０１７６】
また、第４３のズームレンズは、第４１のズームレンズにおいて、前記広角端から前記望遠端への変倍に際して、前記第１レンズ群はまず物体側へ移動して広角端よりも望遠端で物体側にあるように移動し、前記第２レンズ群はまず物体側へ移動して変倍途中にて移動方向が反転し、前記第３レンズ群はまず物体側へ移動して広角端よりも望遠端で物体側にあるように移動し、前記第４レンズ群は広角端よりも望遠端で像側にあるように移動することが好ましい。
【０１７７】
第１レンズ群、第２レンズ群、第３レンズ群が広角端から望遠端への変倍時にまず物体側に移動することで、広角端でのズームレンズ全長の短縮化に有利となる。そして、第２レンズ群を変倍途中で移動方向を反転させ、第１、第３レンズ群を上述の移動とすることで第２、第３レンズ群の変倍負担の確保と第１、第２、第３の各レンズ群の移動量の低減に有利となる。
【０１７８】
また、第４レンズ群を広角端よりも望遠端で像側にあるように移動させることで、第４レンズ群にも変倍機能を持たせやすくなり、変倍時に移動するレンズ群の移動量の低減に有利となる。
第１レンズ群は、物体側へのみ移動させても良いし、物体側に凸の軌跡で移動させても良いし、複数回移動方向が反転するように移動させても良い。
また、第２レンズ群は広角端よりも望遠端にて像側に位置するようにすると、第２レンズ群の変倍負担を増やすことができ、第３レンズ群の移動量も抑えやすくなる。
第３レンズ群は物体側へのみに移動させても良いし、移動方向が１回もしくは複数回反転するようにしても良い。
第４レンズ群は像側へのみ移動させても良いし、あるいは物体側に凸、または像側に凸の軌跡で移動させても良いし、複数回移動方向を反転するように移動させても良い。
【０１７９】
また、第４４のズームレンズは、第４１〜第４３のズームレンズにおいて、前記明るさ絞りが、前記第２レンズ群と前記第３レンズ群との間に配置されたことが好ましい。
【０１８０】
第４４のズームレンズにおいて上記構成をとった理由と作用を説明する。入射瞳を物体側からみて近い位置に位置させることができ、射出瞳を像面から遠ざけることができる。このとき、明るさ絞りと一体移動するシャッターユニットを並べて配置することがより好ましい。軸外光線の高さが低くなる場所であるのでシャッターユニットが大型化せずに済み、明るさ絞り及びシャッターユニットを移動させるときのデッドスペースが小さくて済む。
【０１８１】
また、第４５のズームレンズは、第４のズームレンズにおいて、前記ズームレンズは、物体側から順に前記第１レンズ群、前記第２レンズ群、前記第３レンズ群、前記第４レンズ群からなる４群ズームレンズであることが好ましい。これにより、コンパクト化に有利となる。
【０１８２】
また、本発明の電子撮像装置は、上述のズームレンズと、前記ズームレンズの像側に配置され、前記ズームレンズにより形成された像を電気信号に変換する電子撮像素子とを有することを特徴とする。
【０１８３】
本発明のズームレンズは、テレセントリック性の確保に有利となる。従って、入射角により画像劣化が起こるような電子撮像素子を用いる電子撮像装置に用いることが好ましい。
【０１８４】
また、このような、電子撮像素子を用いた電子撮像装置の場合、以下の構成とすることがより好ましい。このため、電子撮像装置は、前記電子撮像素子による電気信号をもとに、前記ズームレンズの歪曲収差を電気的に補正する処理部を備えたことが好ましい。
【０１８５】
これにより、ズームレンズを小型に構成しても再生画像の劣化を抑えられ、電子撮像装置の小型化に有利となる。
【０１８６】
なお、上述の各発明について、ズームレンズにフォーカシング機能を備える場合は、最も遠距離の物点に合焦した状態での構成とする。フォーカシング動作を第４レンズ群の光軸方向の移動により行うと、射出瞳位置の変動を抑えやすくなり好ましい。
【０１８７】
また、第３の目的のために、第４８のズームレンズは、物体側面と像側面の両面が非球面形状を有し、その両面の面形状が以下の条件式を満足する両面非球面レンズを有することを特徴とする。
−０．１＜（ＲaspO＋ＲaspI）／（ＲaspO−ＲaspI）＜０．１    ・・・（２２）
０≦ｙ≦Ｒの範囲において、
−１０-4＜（ＸO(y)＋ＸI(y)）／（ＲaspO−ＲaspI）＜１０-4    ・・・（２３）
ただし、
ＸO(R)≠０、
ＸI(R)≠０、
であり、
ＲaspOは前記両面非球面レンズの物体側面の近軸曲率半径、
ＲaspIは前記両面非球面レンズの像側面の近軸曲率半径、
ｙは光軸からの距離、
Ｒは前記両面非球面レンズの物体側面、像側面のそれぞれの有効半径のうち小さいほうの値、
ＸO(y)、ＸI(y)はそれぞれ両面非球面レンズの物体側面、像側面の距離ｙの位置における非球面偏倚量、
である。
【０１８８】
両面非球面レンズにおいて、条件式（２２）を満足して物体側の面および像側の面の曲率が近い両面非球面レンズの場合、両側の非球面が条件式（２３）を満足するほぼ同等の形状であれば、組み立てにおいて前後面が逆向きになっても低減できる。
条件式（２２）、（２３）の上限値下限値の何れかを外れると、前後面が逆に組み込まれた際の光学性能の劣化が起こりやすくなる。
条件式（２２）の上下限値をそれぞれ０．０５と−０．０５、さらには、０．０２と−０．０２とすることがより好ましい。
条件式（２３）の上下限値をそれぞれ１０−５と−１０−５、さらには、１０−６と−１０−６とすることがより好ましい。
【０１８９】
なお、非球面偏倚量は、図３０に示すように、非球面の面頂と同じ面頂を持ちその非球面の近軸曲率半径を曲率半径とする球面を基準球面としたとき、光軸に平行な方向に測ったときのその基準球面からその非球面までの距離であり、像側方向（図の右方向）を正符号とする。さらに、両面を同形状の非球面とすると、非球面の型加工において１種類の型加工で済むなどのメリットがある。また、更にはこのようなレンズを、先述の何れかのズームレンズの第４レンズ群に用いることがより好ましい。第４レンズ群を両面がほぼ同形状の非球面レンズとしても光学性能の維持を良好に行える。
【０１９０】
上述の発明は、任意に複数同時に満足することがより好ましい。また、各条件式の下限値、上限値のみをより限定した条件式の下限値、上限値としてもよい。また、上述の各構成は、任意に組み合わせて構わない。
【発明の効果】
【０１９１】
以上の説明から明らかなように、本発明によれば、高変倍比化とコンパクト化の両立に
有利なズームレンズを提供できる。もしくは、第１、２レンズ群の小型化に有利なズームレンズを提供できる。さらには、上述の目的を同時に達成するズームレンズを提供できる。
【０１９２】
また、各レンズ群、移動方式等の工夫により、小型化、高変倍比化、低コスト化、光学性能の確保等の何れか、または、複数を同時に達成するズームレンズを提供できる。さらには、そのようなズームレンズを備えた電子撮像装置を提供できる。
もしくは、ズームレンズの組み立て時にレンズの組み込み間違いによる光学性能の劣化を低減しやすいズームレンズを提供できる。
【発明を実施するための最良の形態】
【０１９３】
以下に、本発明に係るズームレンズ、電子撮像装置の実施例を図面に基づいて詳細に説明する。なお、この実施例によりこの発明が限定されるものではない。
【実施例】
【０１９４】
以下、本発明のズームレンズの実施例１〜９について説明する。実施例１〜９の無限遠物点合焦時の広角端（ａ）、中間状態（ｂ）、望遠端（ｃ）のレンズ断面図をそれぞれ図１〜図９に示す。図１〜図９中、第１レンズ群はＧ１、第２レンズ群はＧ２、開口絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１９５】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１９６】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１９７】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０１９８】
非球面は、第２両凸正レンズの像側の面と、第３両凹負レンズの両面と、第５両凸正レンズの両面と、第８両凸正レンズの物体側の面との６面に用いている。また、第８面は仮想面である。
【０１９９】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２００】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２０１】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０２０２】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２０３】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２０４】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２０５】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０２０６】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２０７】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２０８】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２０９】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレン
ズ面頂は、明るさ絞りＳよりも物体側に位置している。
【０２１０】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２１１】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２１２】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２１３】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０２１４】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２１５】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２１６】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２１７】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４負メニスカスレンズと、物体側に凸面を向けた第５正メニスカスレンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。なお、第１２面のレンズ面頂は、明るさ絞りＳよりも物体側に位置している。
【０２１８】
非球面は、第２両凸正レンズの像側の面と、第３両凹負レンズの両面と、第６両凸正レンズの両面と、第９両凸正レンズの物体側の面との６面に用いている。また、第１０面は仮想面である。
【０２１９】
実施例７のズームレンズは、図７に示すように、物体側から順に、正の屈折力の第１レ
ンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２２０】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２２１】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。なお、第１２面のレンズ面頂は、明るさ絞りＳよりも物体側に位置している。
【０２２２】
非球面は、第２両凸正レンズの像側の面と、第３両凹負レンズの両面と、第６両凸正レンズの両面と、第９両凸正レンズの物体側の面との６面に用いている。また、第１０面は仮想面である。
【０２２３】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２２４】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２２５】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０２２６】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２２７】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２２８】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２２９】
物体側から順に、第１レンズ群Ｇ１は、物体側に凸面を向けた第１負メニスカスレンズ
と、第２両凸正レンズから構成される。第１負メニスカスレンズと、第２両凸正レンズとは接合されている。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。なお、第１２面のレンズ面頂は、明るさ絞りＳよりも物体側に位置している。
【０２３０】
非球面は、第２両凸正レンズの像側の面と、第３両凹負レンズの両面と、第６両凸正レンズの両面と、第９両凸正レンズの物体側の面との６面に用いている。また、第１０面は仮想面である。
【０２３１】
さらに、以下、本発明のズームレンズの実施例１０、１１、１２について説明する。実施例１０、１１、１２の無限遠物点合焦時の広角端（ａ）、中間状態（ｂ）、望遠端（ｃ）のレンズ断面図をそれぞれ図２４、図２５、図２６に示す。図２４〜図２６中、第１レンズ群はＧ１、第２レンズ群はＧ２、開口絞りはＳ、第３レンズ群はＧ３、第４レンズ群はＧ４、平行平板は一つの部材である平行平板Ｃで示しているが、ローパスフィルター、ＩＲカットコート、撮像素子のカバーガラスを一体化してあらわしたものである。像面はＩで示してある。
【０２３２】
実施例１０のズームレンズは、図２４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
明るさ絞りＳは、第３レンズ群Ｇ３の直前（第３レンズ群Ｇ３の最も物体側のレンズ面の面頂と同じ位置）に配置され、第３レンズ群Ｇ３と一体移動する。
【０２３３】
広角端から望遠端にかけての変倍時、第１レンズ群Ｇ１は、まず物体側に移動後像側に移動し、広角端に対して望遠端で物体側に位置する。第２レンズ群Ｇ２は、まず物体側に移動後像側に移動し、広角端に対して望遠端で像側に位置する。第３レンズ群Ｇ３は、まず物体側に移動後像側に移動し、広角端に対して望遠端で物体側に位置する。第４レンズ群Ｇ４は、像側に移動する。フォーカシングは第４レンズ群の移動により行う。
【０２３４】
物体側から順に、第１レンズ群Ｇ１は、物体側に凸面を向けた第１負メニスカスレンズ
と、第２両凸正レンズとから構成される。第１負メニスカスレンズと、第２両凸正レンズとは接合されている。第２レンズ群Ｇ２は、第３両凹負レンズと、第４両凹負レンズと、物体側に凸面を向けた第５正メニスカスレンズから構成される。第３レンズ群Ｇ３は、第６両凸正レンズと、第７両凸正レンズと、第８両凹負レンズとから構成される。第７両凸正レンズと、第８両凹負レンズは接合されている。第４レンズ群Ｇ４は、第９両凸正レンズで構成されている。
【０２３５】
非球面は、第２両凸正レンズの像側の面と、第３両凹負レンズの両面と、第６両凸正レンズの両面と、第９両凸正レンズの物体側の面との６面に用いている。
【０２３６】
実施例１１のズームレンズは、図２５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
明るさ絞りＳは、第３レンズ群Ｇ３の直前（第３レンズ群Ｇ３の最も物体側のレンズ面の面頂と同じ位置）に配置され、第３レンズ群Ｇ３と一体移動する。
【０２３７】
広角端から望遠端にかけての変倍時、第１レンズ群Ｇ１は、まず物体側に移動後像側に移動し、広角端に対して望遠端で物体側に位置する。第２レンズ群Ｇ２は、まず物体側に移動後像側に移動し、広角端に対して望遠端で像側に位置する。第３レンズ群Ｇ３は、まず物体側に移動後像側に移動し、広角端に対して望遠端で物体側に位置する。第４レンズ群Ｇ４は、像側に移動する。フォーカシングは第４レンズ群の移動により行う。
【０２３８】
物体側から順に、第１レンズ群Ｇ１は、物体側に凸面を向けた第１負メニスカスレンズ
と、第２両凸正レンズとから構成される。第１負メニスカスレンズと、第２両凸正レンズとは接合されている。第２レンズ群Ｇ２は、第３両凹負レンズと、第４両凹負レンズと、第５両凸正レンズから構成される。第４両凹負レンズと、第５両凸正レンズとは接合されている。第３レンズ群Ｇ３は、第６両凸正レンズと、第７両凸正レンズと、第８両凹負レンズとから構成される。第７両凸正レンズと、第８両凹負レンズは接合されている。第４レンズ群Ｇ４は、第９両凸正レンズで構成されている。
【０２３９】
非球面は、第２両凸正レンズの像側の面と、第３両凹負レンズの両面と、第６両凸正レンズの両面と、第９両凸正レンズの物体側の面との６面に用いている。
【０２４０】
実施例１２のズームレンズは、図２６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
明るさ絞りＳは、第３レンズ群Ｇ３の直前（第３レンズ群Ｇ３の最も物体側のレンズ面の面頂と同じ位置）に配置され、第３レンズ群Ｇ３と一体移動する。
【０２４１】
広角端から望遠端にかけての変倍時、第１レンズ群Ｇ１は、物体側に移動する。第２レンズ群Ｇ２は、まず物体側に移動後像側に移動し、広角端に対して望遠端で像側に位置する。第３レンズ群Ｇ３は、まず物体側に移動後像側に移動し、広角端に対して望遠端で物体側に位置する。第４レンズ群Ｇ４は、像側に移動する。フォーカシングは第４レンズ群の移動により行う。
【０２４２】
物体側から順に、第１レンズ群Ｇ１は、物体側に凸面を向けた第１負メニスカスレンズ
と、第２両凸正レンズとから構成される。第１負メニスカスレンズと、第２両凸正レンズとは接合されている。第２レンズ群Ｇ２は、第３両凹負レンズと、第４両凹負レンズと、物体側に凸面を向けた第５平凸正レンズから構成される。第４両凹負レンズと、第５平凸正レンズとは接合されている。第３レンズ群Ｇ３は、第６両凸正レンズと、物体側に凸面を向けた第７両凸正レンズと、像側に凹面を向けた第８平凹負レンズとから構成される。第７平凸正レンズと、第８平凹負レンズは接合されている。第４レンズ群Ｇ４は、第９両凸正レンズで構成されている。
【０２４３】
非球面は、第２両凸正レンズの像側の面と、第３両凹負レンズの両面と、第６両凸正レンズの両面と、第９両凸正レンズの両面との７面に用いている。
【０２４４】
以下に、上記各実施例の数値データを示す。記号は上記の外、ｆは全系焦点距離、ＦNOはＦナンバー、ωは半画角、ＷＥは広角端、ＳＴは中間状態、ＴＥは望遠端、ｒ1、ｒ2…は各レンズ面の曲率半径、ｄ1、ｄ2…は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０２４５】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０２４６】
実施例１
ｒ1 =   21.698            ｄ1 =  0.80     ｎd1 =  2.00170     νd1 =  20.64
ｒ2 =   17.688            ｄ2 =  4.06     ｎd2 =  1.49700     νd2 =  81.54
ｒ3 =  -29.133（非球面）  ｄ3 =（可変）  
ｒ4 =  -12.208（非球面）  ｄ4 =  0.90     ｎd3 =  1.80610     νd3 =  40.88
ｒ5 =    5.778（非球面）  ｄ5 =  0.98
ｒ6 =    9.168            ｄ6 =  1.90     ｎd4 =  1.92286     νd4 =  18.90
ｒ7 =   26.277            ｄ7 =（可変）  
ｒ8 =     ∞              ｄ8 =  0.98
ｒ9 =     ∞（絞り）      ｄ9 = -0.10
ｒ10=    4.600（非球面）  ｄ10=  3.01     ｎd5 =  1.49700     νd5 =  81.54
ｒ11=  -11.717（非球面）  ｄ11=  0.20
ｒ12=    4.992            ｄ12=  1.26     ｎd6 =  1.60342     νd6 =  38.03
ｒ13=    8.287            ｄ13=  0.39     ｎd7 =  2.00330     νd7 =  28.27
ｒ14=    3.230            ｄ14=  0.70
ｒ15=     ∞              ｄ15=（可変） 
ｒ16=   24.719（非球面）  ｄ16=  1.93     ｎd8 =  1.74330     νd8 =  49.33
ｒ17=  -69.248            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =    0.000
Ａ4 =    3.82038e-05  
Ａ6 =   -8.48090e-08    
Ａ8 =    3.61465e-10  
第4面
Ｋ =    0.089
Ａ4 =    4.60626e-05  
Ａ6 =    1.28261e-05 
Ａ8 =   -1.58317e-07  
第5面
Ｋ =   -0.406
Ａ4 =   -5.63186e-04 
Ａ6 =    8.35981e-06 
Ａ8 =    2.80302e-07  
第10面
Ｋ =   -0.227
Ａ4 =   -1.01015e-03  
Ａ6 =   -2.49056e-05  
第11面
Ｋ =    0.000
Ａ4 =    6.04770e-04  
Ａ6 =   -2.94658e-05 
Ａ8 =    1.98114e-06  
第16面
Ｋ =    0.000
Ａ4 =    1.18442e-04  
Ａ6 =    3.01521e-06   
Ａ8 =    4.62981e-07 
Ａ10=   -2.00000e-08  
ズームデータ（∞）
ＷＥ      ＳＴ      ＴＥ          
ｆ（mm）         6.88     16.85     46.28    
ＦNO              3.30      4.43      5.67    
２ω（°）      63.08     24.77      9.31    
ｄ3               0.71      7.57     13.70       
ｄ7              12.31      6.87      0.60     
ｄ15              2.30      8.77     15.01      
ｄ17              5.06      3.68      1.50     
【０２４７】
実施例２
ｒ1 =   20.645            ｄ1 =  0.80     ｎd1 =  2.00170     νd1 =  20.64
ｒ2 =   16.835            ｄ2 =  4.25     ｎd2 =  1.49700     νd2 =  81.54
ｒ3 =  -26.751（非球面）  ｄ3 =（可変）  
ｒ4 =  -14.412（非球面）  ｄ4 =  0.94     ｎd3 =  1.88300     νd3 =  40.76
ｒ5 =    5.846（非球面）  ｄ5 =  0.80
ｒ6 =    8.130            ｄ6 =  2.01     ｎd4 =  1.92286     νd4 =  18.90
ｒ7 =   19.830            ｄ7 =（可変）  
ｒ8 =     ∞              ｄ8 =  0.98
ｒ9 =     ∞（絞り）      ｄ9 = -0.10
ｒ10=    4.569（非球面）  ｄ10=  3.11     ｎd5 =  1.49700     νd5 =  81.54
ｒ11=  -12.606（非球面）  ｄ11=  0.23
ｒ12=    4.855            ｄ12=  1.20     ｎd6 =  1.60342     νd6 =  38.03
ｒ13=    7.083            ｄ13=  0.39     ｎd7 =  2.00330     νd7 =  28.27
ｒ14=    3.164            ｄ14=  0.70
ｒ15=     ∞              ｄ15=（可変） 
ｒ16=   20.534（非球面）  ｄ16=  2.09     ｎd8 =  1.74330     νd8 =  49.33
ｒ17= -174.515            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =    0.000
Ａ4 =    4.69441e-05  
Ａ6 =   -1.14534e-07 
Ａ8 =    4.94209e-10  
第4面
Ｋ =    0.089
Ａ4 =   -1.91915e-04  
Ａ6 =    1.92984e-05  
Ａ8 =   -2.28818e-07  
第5面
Ｋ =   -0.406
Ａ4 =   -5.68873e-04  
Ａ6 =    7.83764e-06  
Ａ8 =    6.33582e-07  
第10面
Ｋ =   -0.227
Ａ4 =   -9.38774e-04  
Ａ6 =   -2.98017e-05  
第11面
Ｋ =    0.000
Ａ4 =    6.11227e-04 
Ａ6 =   -3.00252e-05 
Ａ8 =    1.85735e-06  
第16面
Ｋ =    0.000
Ａ4 =    2.12280e-04 
Ａ6 =   -2.82589e-06  
Ａ8 =    6.55635e-07  
Ａ10=   -2.00000e-08  
ズームデータ（∞）
ＷＥ      ＳＴ      ＴＥ          
ｆ（mm）         6.88     16.84     46.28    
ＦNO              3.30      4.42      5.59    
２ω（°）      63.68     24.93      9.36   
ｄ3               0.50      6.97     12.70    
ｄ7              12.16      7.05      0.99    
ｄ15              2.22      8.72     14.86   
ｄ17              5.09      3.81      1.61   
【０２４８】
実施例３
ｒ1 =   22.538            ｄ1 =  0.80     ｎd1 =  2.00170     νd1 =  20.64
ｒ2 =   18.176            ｄ2 =  4.07     ｎd2 =  1.49700     νd2 =  81.54
ｒ3 =  -27.449（非球面）  ｄ3 =（可変）  
ｒ4 =  -11.281（非球面）  ｄ4 =  0.90     ｎd3 =  1.80610     νd3 =  40.88
ｒ5 =    6.540（非球面）  ｄ5 =  0.99
ｒ6 =   10.399            ｄ6 =  1.88     ｎd4 =  2.10227     νd4 =  17.10
ｒ7 =   22.503            ｄ7 =（可変）  
ｒ8 =     ∞              ｄ8 =  0.98
ｒ9 =     ∞（絞り）      ｄ9 = -0.10
ｒ10=    4.505（非球面）  ｄ10=  3.06     ｎd5 =  1.49700     νd5 =  81.54
ｒ11=  -11.895（非球面）  ｄ11=  0.22
ｒ12=    5.146            ｄ12=  1.18     ｎd6 =  1.60342     νd6 =  38.03
ｒ13=    7.646            ｄ13=  0.39     ｎd7 =  2.00330     νd7 =  28.27
ｒ14=    3.245            ｄ14=  0.70
ｒ15=     ∞              ｄ15=（可変） 
ｒ16=   24.762（非球面）  ｄ16=  2.06     ｎd8 =  1.74330     νd8 =  49.33
ｒ17=  -66.758            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =   0.000
Ａ4 =   3.92559e-05 
Ａ6 =  -6.29929e-08  
Ａ8 =   2.03948e-10  
第4面
Ｋ =   0.089
Ａ4 =   2.03912e-04  
Ａ6 =   1.01180e-05 
Ａ8 =  -1.28824e-07  
第5面
Ｋ =  -0.406
Ａ4 =  -3.80310e-04  
Ａ6 =   1.04953e-05 
Ａ8 =   2.29140e-07  
第10面
Ｋ =  -0.227
Ａ4 =  -1.05417e-03  
Ａ6 =  -2.31881e-05  
第11面
Ｋ =   0.000
Ａ4 =   6.50102e-04 
Ａ6 =  -2.65162e-05 
Ａ8 =   1.92181e-06  
第16面
Ｋ =   0.000
Ａ4 =   1.47469e-04  
Ａ6 =  -1.30252e-06  
Ａ8 =   6.46852e-07 
Ａ10=  -2.00000e-08  
ズームデータ（∞）
ＷＥ      ＳＴ      ＴＥ          
ｆ（mm）         6.88     16.85     46.29    
ＦNO              3.30      4.43      5.64    
２ω（°）      63.19     24.73      9.31   
ｄ3               0.68      7.52     13.70    
ｄ7              12.42      6.96      0.69    
ｄ15              2.28      8.77     14.93   
ｄ17              5.03      3.69      1.50   
【０２４９】
実施例４
ｒ1 =   20.479            ｄ1 =  0.80     ｎd1 =  2.00170     νd1 =  20.64
ｒ2 =   16.826            ｄ2 =  4.06     ｎd2 =  1.49700     νd2 =  81.54
ｒ3 =  -32.919（非球面）  ｄ3 =（可変）  
ｒ4 =  -11.994（非球面）  ｄ4 =  0.91     ｎd3 =  1.83481     νd3 =  42.71
ｒ5 =    6.532（非球面）  ｄ5 =  0.78
ｒ6 =    8.849            ｄ6 =  1.86     ｎd4 =  1.92286     νd4 =  18.90
ｒ7 =   21.254            ｄ7 =（可変）  
ｒ8 =     ∞              ｄ8 =  0.98
ｒ9 =     ∞（絞り）      ｄ9 = -0.10
ｒ10=    5.038（非球面）  ｄ10=  3.14     ｎd5 =  1.49700     νd5 =  81.54
ｒ11=  -11.062（非球面）  ｄ11=  0.29
ｒ12=    5.130            ｄ12=  1.25     ｎd6 =  1.60342     νd6 =  38.03
ｒ13=    8.213            ｄ13=  0.39     ｎd7 =  2.00330     νd7 =  28.27
ｒ14=    3.497            ｄ14=  0.70
ｒ15=     ∞              ｄ15=（可変） 
ｒ16=   22.108（非球面）  ｄ16=  1.98     ｎd8 =  1.74330     νd8 =  49.33
ｒ17= -144.779            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =   0.000
Ａ4 =   3.03379e-05 
Ａ6 =  -5.30314e-08 
Ａ8 =   2.38853e-10  
第4面
Ｋ =   0.089
Ａ4 =  -4.93344e-05 
Ａ6 =   1.67517e-05  
Ａ8 =  -1.98391e-07  
第5面
Ｋ =  -0.406
Ａ4 =  -4.16293e-04 
Ａ6 =   9.24712e-06 
Ａ8 =   4.77141e-07  
第10面
Ｋ =  -0.227
Ａ4 =  -8.15716e-04 
Ａ6 =  -2.26164e-05  
第11面
Ｋ =   0.000
Ａ4 =   6.46494e-04 
Ａ6 =  -3.54167e-05 
Ａ8 =   1.87547e-06  
第16面
Ｋ =   0.000
Ａ4 =   2.61106e-04  
Ａ6 =  -1.49917e-06 
Ａ8 =   6.34056e-07 
Ａ10=  -2.00000e-08  
ズームデータ（∞）
ＷＥ      ＳＴ      ＴＥ          
ｆ（mm）         6.88     16.85     46.28   
ＦNO              3.30      4.45      5.72   
２ω（°）      67.46     25.81      9.52   
ｄ3               0.86      7.53     13.70   
ｄ7              12.34      6.75      0.63   
ｄ15              2.15      8.73     15.24   
ｄ17              5.07      3.69      1.43   
【０２５０】
実施例５
ｒ1 =   23.668            ｄ1 =  0.80     ｎd1 =  2.00170     νd1 =  20.64
ｒ2 =   19.590            ｄ2 =  3.98     ｎd2 =  1.49700     νd2 =  81.54
ｒ3 =  -27.384（非球面）  ｄ3 =（可変）  
ｒ4 =  -12.598（非球面）  ｄ4 =  0.91     ｎd3 =  1.83481     νd3 =  42.71
ｒ5 =    6.347（非球面）  ｄ5 =  0.91
ｒ6 =    9.462            ｄ6 =  1.88     ｎd4 =  1.92286     νd4 =  18.90
ｒ7 =   25.431            ｄ7 =（可変） 
ｒ8 =     ∞              ｄ8 =  0.98
ｒ9 =     ∞（絞り）      ｄ9 = -0.10
ｒ10=    4.380（非球面）  ｄ10=  2.64     ｎd5 =  1.49700     νd5 =  81.54
ｒ11=  -11.978（非球面）  ｄ11=  0.21
ｒ12=    5.009            ｄ12=  1.17     ｎd6 =  1.51742     νd6 =  52.43
ｒ13=    6.232            ｄ13=  0.40     ｎd7 =  2.00330     νd7 =  28.27
ｒ14=    3.071            ｄ14=  0.70
ｒ15=     ∞              ｄ15=（可変） 
ｒ16=   21.580（非球面）  ｄ16=  2.06     ｎd8 =  1.81474     νd8 =  37.03
ｒ17= -978.404            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =  -7.111
Ａ4 =  -5.55917e-07 
Ａ6 =   1.43935e-08  
Ａ8 =   1.59184e-10  
Ａ10=   2.14201e-14  
第4面
Ｋ =   0.164
Ａ4 =  -5.56372e-05  
Ａ6 =   2.25017e-05  
Ａ8 =  -6.41799e-07 
Ａ10=   7.92547e-09  
第5面
Ｋ =   0.426
Ａ4 =  -1.02133e-03 
Ａ6 =   2.17154e-05  
Ａ8 =  -1.26409e-06 
Ａ10=   6.37628e-09  
第10面
Ｋ =  -3.075
Ａ4 =   2.84705e-03  
Ａ6 =  -1.36330e-04  
第11面
Ｋ =   8.240
Ａ4 =   7.87536e-04 
Ａ6 =   4.92757e-05  
Ａ8 =  -1.38094e-05  
Ａ10=   8.57143e-07  
第16面
Ｋ =  -4.140
Ａ4 =   1.27942e-04  
Ａ6 =   2.38646e-05  
Ａ8 =  -1.38465e-06 
Ａ10=   2.83638e-08  
ズームデータ（∞）
ＷＥ      ＳＴ      ＴＥ          
ｆ（mm）         6.62     16.17     44.53    
ＦNO              3.30      4.44      5.50    
２ω（°）      65.90     25.93      9.87    
ｄ3               0.70      7.35     13.70    
ｄ7              13.43      7.55      0.60     
ｄ15              1.98      8.49     13.39    
ｄ17              5.27      4.06      3.60      
【０２５１】
実施例６
ｒ1 =   22.602            ｄ1 =  0.80     ｎd1 =  2.00170     νd1 =  20.64
ｒ2 =   18.738            ｄ2 =  4.13     ｎd2 =  1.49700     νd2 =  81.54
ｒ3 =  -25.691（非球面）  ｄ3 =（可変）  
ｒ4 =  -13.288（非球面）  ｄ4 =  0.91     ｎd3 =  1.83481     νd3 =  42.71
ｒ5 =   16.534（非球面）  ｄ5 =  0.55
ｒ6 =   28.680            ｄ6 =  0.70     ｎd4 =  1.88300     νd4 =  40.76
ｒ7 =    7.398            ｄ7 =  0.47
ｒ8 =    8.542            ｄ8 =  2.05     ｎd5 =  1.92286     νd5 =  18.90
ｒ9 =   23.121            ｄ9 =（可変）  
ｒ10=     ∞              ｄ10=  0.98
ｒ11=     ∞（絞り）      ｄ11= -0.10
ｒ12=    4.478（非球面）  ｄ12=  2.56     ｎd6 =  1.49700     νd6 =  81.54
ｒ13=  -15.247（非球面）  ｄ13=  0.20
ｒ14=    4.817            ｄ14=  1.47     ｎd7 =  1.51742     νd7 =  52.43
ｒ15=    7.370            ｄ15=  0.40     ｎd8 =  2.00330     νd8 =  28.27
ｒ16=    3.171            ｄ16=  0.70
ｒ17=     ∞              ｄ17=（可変） 
ｒ18=   17.556（非球面）  ｄ18=  2.28     ｎd9 =  1.81474     νd9 =  37.03
ｒ19= -356.352            ｄ19=（可変） 
ｒ20=     ∞              ｄ20=  0.50     ｎd10=  1.51633     νd10=  64.14
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第3面
Ｋ =   -2.655
Ａ4 =    2.84235e-05 
Ａ6 =   -1.26821e-07  
Ａ8 =    6.53842e-10   
Ａ10=    2.14201e-14  
第4面
Ｋ =    1.985
Ａ4 =   -1.54238e-04  
Ａ6 =    3.31806e-05  
Ａ8 =   -7.71567e-07 
Ａ10=    7.92547e-09  
第5面
Ｋ =    7.086
Ａ4 =   -9.45498e-04  
Ａ6 =    3.71912e-05  
Ａ8 =   -9.25584e-07 
Ａ10=    6.37628e-09  
第12面
Ｋ =   -1.244
Ａ4 =    5.05817e-04 
Ａ6 =    4.58343e-05  
第13面
Ｋ =    0.148
Ａ4 =    6.24060e-04  
Ａ6 =    7.30506e-05 
Ａ8 =   -8.70760e-06 
Ａ10=    8.57143e-07  
第18面
Ｋ =   -5.979
Ａ4 =    1.62882e-04  
Ａ6 =    2.08747e-05  
Ａ8 =   -1.27158e-06 
Ａ10=    2.83638e-08  
ズームデータ（∞）
ＷＥ      ＳＴ      ＴＥ          
ｆ（mm）         6.62     16.17     44.53    
ＦNO              3.30      4.45      5.35    
２ω（°）      66.51     25.78      9.68   
ｄ3               0.61      6.85     12.93    
ｄ9              13.00      7.50      0.60    
ｄ17              1.91      8.34     12.90   
ｄ19              4.88      4.05      3.00   
【０２５２】
実施例７
ｒ1 =   23.899            ｄ1 =  0.80     ｎd1 =  2.00170     νd1 =  20.64
ｒ2 =   19.824            ｄ2 =  4.24     ｎd2 =  1.49700     νd2 =  81.54
ｒ3 =  -26.164（非球面）  ｄ3 =（可変）  
ｒ4 =  -10.790（非球面）  ｄ4 =  0.91     ｎd3 =  1.83481     νd3 =  42.71
ｒ5 =   22.431（非球面）  ｄ5 =  0.90
ｒ6 =  218.971            ｄ6 =  2.10     ｎd4 =  1.92286     νd4 =  18.90
ｒ7 =  -13.195            ｄ7 =  0.30
ｒ8 =  -10.758            ｄ8 =  0.50     ｎd5 =  1.88300     νd5 =  40.76
ｒ9 =  103.691            ｄ9 =（可変）  
ｒ10=     ∞              ｄ10=  0.98
ｒ11=     ∞（絞り）      ｄ11= -0.10
ｒ12=    4.295（非球面）  ｄ12=  2.51     ｎd6 =  1.49700     νd6 =  81.54
ｒ13=  -13.710（非球面）  ｄ13=  0.20
ｒ14=    4.763            ｄ14=  1.22     ｎd7 =  1.51742     νd7 =  52.43
ｒ15=    6.332            ｄ15=  0.40     ｎd8 =  2.00330     νd8 =  28.27
ｒ16=    3.093            ｄ16=  0.70
ｒ17=     ∞              ｄ17=（可変） 
ｒ18=   29.444（非球面）  ｄ18=  1.99     ｎd9 =  1.81474     νd9 =  37.03
ｒ19=  -51.206            ｄ19=（可変） 
ｒ20=     ∞              ｄ20=  0.50     ｎd10=  1.51633     νd10=  64.14
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第3面
Ｋ =   -3.386
Ａ4 =    1.84236e-05 
Ａ6 =   -5.49013e-08 
Ａ8 =    2.40556e-10  
Ａ10=   -3.81661e-13  
第4面
Ｋ =   -3.373
Ａ4 =   -5.91701e-06  
Ａ6 =    1.42524e-05 
Ａ8 =   -3.49467e-07 
Ａ10=    3.04350e-09  
第5面
Ｋ =    3.350
Ａ4 =   -1.83526e-04  
Ａ6 =    2.07397e-05 
Ａ8 =   -4.59555e-07  
Ａ10=    6.67020e-09  
第12面
Ｋ =   -1.796
Ａ4 =    1.38580e-03 
Ａ6 =    5.53570e-06  
第13面
Ｋ =  -92.455
Ａ4 =   -3.55086e-03 
Ａ6 =    7.78041e-04 
Ａ8 =   -9.98896e-05 
Ａ10=    5.79723e-06  
第18面 
Ｋ =    5.707
Ａ4 =    1.30782e-04 
Ａ6 =    9.36732e-06
Ａ8 =   -4.60064e-07 
Ａ10=    7.60826e-09  
ズームデータ（∞）
ＷＥ      ＳＴ      ＴＥ          
ｆ（mm）         6.62     16.17     44.53     
ＦNO              3.30      4.44      5.43     
２ω（°）      68.57     26.03      9.75     
ｄ3               0.58      7.10     13.39     
ｄ9              12.27      6.94      0.60     
ｄ17              2.29      8.51     13.18     
ｄ19              4.97      3.90      3.00     
【０２５３】
実施例８
ｒ1 =   23.976            ｄ1 =  0.80     ｎd1 =  2.00170     νd1 =  20.64
ｒ2 =   19.903            ｄ2 =  3.96     ｎd2 =  1.49700     νd2 =  81.54
ｒ3 =  -27.088（非球面）  ｄ3 =（可変）  
ｒ4 =  -13.009（非球面）  ｄ4 =  0.91     ｎd3 =  1.83481     νd3 =  42.71
ｒ5 =    6.302（非球面）  ｄ5 =  0.92
ｒ6 =    9.256            ｄ6 =  1.87     ｎd4 =  1.92286     νd4 =  18.90
ｒ7 =   23.104            ｄ7 =（可変） 
ｒ8 =     ∞              ｄ8 =  0.98
ｒ9 =     ∞（絞り）      ｄ9 = -0.10
ｒ10=    4.405（非球面）  ｄ10=  2.63     ｎd5 =  1.49700     νd5 =  81.54
ｒ11=  -10.942（非球面）  ｄ11=  0.23
ｒ12=    5.290            ｄ12=  1.14     ｎd6 =  1.51742     νd6 =  52.43
ｒ13=    6.299            ｄ13=  0.41     ｎd7 =  2.00330     νd7 =  28.27
ｒ14=    3.124            ｄ14=  0.70
ｒ15=     ∞              ｄ15=（可変）
ｒ16=   21.612（非球面）  ｄ16=  2.06     ｎd8 =  1.81474     νd8 =  37.03
ｒ17=-3334.342            ｄ17=（可変） 
ｒ18=     ∞              ｄ18=  0.50     ｎd9 =  1.51633     νd9 =  64.14
ｒ19=     ∞              ｄ19=  0.50 
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =   -3.358
Ａ4 =    2.30297e-05 
Ａ6 =   -1.22671e-07 
Ａ8 =    7.32069e-10  
Ａ10=    2.14201e-14  
第4面
Ｋ =   -0.491
Ａ4 =   -1.79874e-04  
Ａ6 =    2.75493e-05 
Ａ8 =   -7.26410e-07 
Ａ10=    7.92547e-09  
第5面
Ｋ =    0.311
Ａ4 =   -1.03567e-03  
Ａ6 =    2.81436e-05 
Ａ8 =   -1.04751e-06  
Ａ10=    6.37628e-09  
第10面
Ｋ =   -3.062
Ａ4 =    2.72342e-03 
Ａ6 =   -1.57228e-04  
第11面
Ｋ =  -22.869
Ａ4 =   -1.92400e-03  
Ａ6 =    1.43485e-04 
Ａ8 =   -2.06398e-05 
Ａ10=    8.57143e-07  
第16面
Ｋ =   -3.300
Ａ4 =    1.45283e-04 
Ａ6 =    2.16436e-05 
Ａ8 =   -1.33025e-06 
Ａ10=    2.83638e-08  
ズームデータ（∞）
ＷＥ      ＳＴ      ＴＥ          
ｆ（mm）         6.62     16.18     44.54    
ＦNO              3.30      4.44      5.49    
２ω（°）      65.74     25.95      9.88    
ｄ3               0.67      7.35     13.69    
ｄ7              13.36      7.50      0.60    
ｄ15              2.02      8.52     13.40    
ｄ17              5.28      4.07      3.61    
【０２５４】
実施例９
ｒ1 =   23.104            ｄ1 =  0.80     ｎd1 =  2.00170     νd1 =  20.64
ｒ2 =   19.396            ｄ2 =  4.18     ｎd2 =  1.49700     νd2 =  81.54
ｒ3 =  -28.307（非球面）  ｄ3 =（可変）  
ｒ4 =   -8.746（非球面）  ｄ4 =  0.90     ｎd3 =  1.80610     νd3 =  40.92
ｒ5 =   22.609（非球面）  ｄ5 =  0.96
ｒ6 =  115.759            ｄ6 =  1.98     ｎd4 =  1.92286     νd4 =  18.90
ｒ7 =  -14.259            ｄ7 =  0.21
ｒ8 =  -13.143            ｄ8 =  0.50     ｎd5 =  1.88300     νd5 =  40.76
ｒ9 =   72.040            ｄ9 =（可変）  
ｒ10=     ∞              ｄ10=  0.98
ｒ11=     ∞（絞り）      ｄ11= -0.10
ｒ12=    4.226（非球面）  ｄ12=  2.08     ｎd6 =  1.49700     νd6 =  81.54
ｒ13=  -16.546（非球面）  ｄ13=  0.38
ｒ14=    4.496            ｄ14=  1.32     ｎd7 =  1.51742     νd7 =  52.43
ｒ15=    6.297            ｄ15=  0.40     ｎd8 =  2.00330     νd8 =  28.27
ｒ16=    3.029            ｄ16=  0.70
ｒ17=     ∞              ｄ17=（可変） 
ｒ18=   42.015（非球面）  ｄ18=  1.93     ｎd9 =  1.81474     νd9 =  37.03
ｒ19=  -32.646            ｄ19=（可変） 
ｒ20=     ∞              ｄ20=  0.50     ｎd10=  1.51633     νd10=  64.14
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第3面
Ｋ =   -5.090
Ａ4 =    9.69822e-06  
Ａ6 =   -7.03853e-09  
Ａ8 =    8.40603e-11
Ａ10=   -7.99864e-13  
第4面
Ｋ =   -7.664
Ａ4 =   -2.42260e-04  
Ａ6 =    1.92938e-05 
Ａ8 =   -4.98886e-07 
Ａ10=    4.81577e-09  
第5面
Ｋ =   14.395
Ａ4 =    3.36955e-04   
Ａ6 =   -1.56311e-06 
Ａ8 =   -5.73815e-08  
Ａ10=   -1.93332e-09  
第12面
Ｋ =   -4.899
Ａ4 =    6.91677e-03 
Ａ6 =   -4.70828e-04 
Ａ8 =    3.61315e-05 
Ａ10=    9.97270e-22  
第13面
Ｋ = -161.860
Ａ4 =   -2.97697e-03 
Ａ6 =    9.82793e-04 
Ａ8 =   -1.34602e-04 
Ａ10=    1.02130e-05  
第18面
Ｋ = -238.183
Ａ4 =    4.66205e-04 
Ａ6 =   -2.07951e-06 
Ａ8 =   -1.03870e-07 
Ａ10=    1.44607e-09  
ズームデータ（∞）
ＷＥ      ＳＴ      ＴＥ          
ｆ（mm）        6.63     16.23     44.53   
ＦNO              3.30      4.51      5.64   
２ω（°）      67.60     25.89      9.77   
ｄ3               0.95      7.52     13.67   
ｄ9              11.63      6.65      0.60   
ｄ17              1.89      8.46     13.34   
ｄ19              5.04      3.61      3.00   
【０２５５】
実施例１０
単位    ｍｍ
面データ
面番号     r          d         nd        νd 
1      15.981      0.80     1.94595    17.98
2      13.053      3.75     1.59201    67.07
3*    -66.140      可変  
4*   -100.665      0.90     1.83481    42.71
5*      7.729      2.13
6     -16.155      0.70     1.88300    40.76
7      11.324      0.20
8      10.621      1.87     1.94595    17.98
9    2576.770      可変
10(絞り)     ∞      0.00
11*      5.669      2.88     1.49700    81.54
12*    -14.592      0.10
13       6.990      1.57     1.76200    40.10
14    -856.715      0.41     1.74000    28.30
15       3.868      可変
16*     22.699      1.80     1.74320    49.34
17     -62.571      可変
18          ∞      0.50     1.51633    64.14
19          ∞      1.20 
20          ∞（電子撮像素子の受光面、像面）
非球面データ
第３面
Ｋ=0.000,Ａ4=3.00437e-05,Ａ6=-3.01520e-08,Ａ8=-5.50854e-10,Ａ10=3.81914e-12  
第４面
Ｋ=0.000,Ａ4=-1.22830e-05,Ａ6=3.19778e-06,Ａ8=1.49784e-08,Ａ10=-1.44514e-09  
第５面
Ｋ=-0.836,Ａ4=1.95528e-04,Ａ6=1.69233e-05,Ａ8=1.70976e-08,Ａ10=1.78784e-08  
第１１面
Ｋ=-3.831,Ａ4=1.95133e-03,Ａ6=-6.49873e-05,Ａ8=2.66321e-06,Ａ10=-9.19166e-08  
第１２面
Ｋ=0.000,Ａ4=4.30798e-04,Ａ6=1.52421e-07,Ａ8=1.09883e-06,Ａ10=-9.21340e-08  
第１６面
Ｋ=0.000,Ａ4=5.94648e-05,Ａ6=1.25383e-05,Ａ8=-6.35142e-07,Ａ10=1.34623e-08  
各種データ
広角      中間      望遠
焦点距離      6.63     16.65     44.36
ＦＮＯ．      3.45      4.69      4.74
画角２ω     67.91     26.70      9.79
d3          0.27      5.40     11.68  
d9         12.65      7.15      1.74  
d15         5.69     12.69     13.85  
d17         5.17      5.10      2.96  
【０２５６】
実施例１１
単位    ｍｍ
面データ
面番号     r          d         nd        νd 
1      16.869      0.80     1.94595    17.98
2      13.695      3.68     1.59201    67.07
3*    -57.815      可変  
4*    -42.294      0.70     1.80610    40.92
5*     12.696      2.08
6     -11.746      0.60     1.88300    40.76
7       9.844      2.01     1.94595    17.98
8  -13988.729      可変
9(絞り)     ∞      0.00
10*      5.454      2.39     1.49700    81.54
11*    -16.944      0.10
12       6.940      2.07     1.76200    40.10
13   -6100.501      0.41     1.74000    28.30
14       3.605      可変  
15*     17.114      2.64     1.53110    55.91
16     -19.673      可変  
17          ∞      0.50     1.51633    64.14
18          ∞      1.20 
19          ∞（電子撮像素子の受光面、像面）
非球面データ
第３面
Ｋ=-20.755,Ａ4=1.51899e-05,Ａ6=-2.74484e-08,Ａ8=3.19103e-11,Ａ10=1.51082e-13  
第４面
Ｋ=-88.808,Ａ4=2.72233e-04,Ａ6=-1.03270e-05,Ａ8=4.99104e-07,Ａ10=-7.03571e-09  
第５面
Ｋ=5.715,Ａ4=9.76937e-07,Ａ6=-1.52989e-05,Ａ8=5.01342e-07,Ａ10=-1.25456e-08  
第１０面
Ｋ=-3.567,Ａ4=2.13009e-03,Ａ6=-6.35403e-05,Ａ8=2.94077e-06,Ａ10=-2.18484e-08  
第１１面
Ｋ=10.628,Ａ4=8.07600e-04,Ａ6=6.73556e-06,Ａ8=1.75247e-06,Ａ10=7.93089e-09  
第１５面
Ｋ=0.124,Ａ4=1.29001e-04,Ａ6=1.04784e-05,Ａ8=-4.85185e-07,Ａ10=7.93527e-09  
各種データ
広角      中間      望遠
焦点距離      6.62     16.87     44.97
ＦＮＯ．      3.44      4.91      5.01
画角２ω     68.56     26.90      9.88
d3          0.30      5.71     11.67  
d8         12.24      7.90      1.77  
d14         4.00     12.49     13.10  
d16         4.84      3.60      2.98  
【０２５７】
実施例１２
単位    ｍｍ
面データ
面番号     r          d         nd        νd 
1      18.182      0.90     1.94595    17.98
2      14.569      3.48     1.59201    67.07
3*    -52.115      可変  
4*    -34.097      0.70     1.80610    40.92
5*     14.105      2.22
6     -13.219      0.60     1.88300    40.76
7      10.602      1.93     1.94595    17.98
8          ∞      可変
9(絞り)      ∞      0.00
10*      5.288      2.43     1.49700    81.54
11*    -17.296      0.10
12       7.329      2.00     1.76200    40.10
13          ∞      0.41     1.71736    29.52
14       3.564      可変
15*     22.281      2.44     1.58313    59.38
16*    -22.281      可変
17          ∞      0.50     1.51633    64.14
18          ∞      1.20 
19          ∞（電子撮像素子の受光面、像面）
非球面データ
第３面
Ｋ=-14.625,Ａ4=1.26268e-05,Ａ6=2.89083e-09,Ａ8=-5.21489e-10,Ａ10=3.54481e-12  
第４面
Ｋ=-123.195,Ａ4=-1.13231e-05,Ａ6=-1.61794e-06,Ａ8=2.27459e-07,Ａ10=-3.24892e-09
第５面
Ｋ=4.125,Ａ4=8.01581e-05,Ａ6=-1.19119e-05,Ａ8=1.80160e-07,Ａ10=1.16109e-08  
第１０面
Ｋ=-2.714,Ａ4=1.47977e-03,Ａ6=-2.78130e-05,Ａ8=4.58287e-07,Ａ10=-4.11026e-09  
第１１面
Ｋ=7.374,Ａ4=5.60610e-04,Ａ6=1.44138e-08,Ａ8=5.31566e-07,Ａ10=4.29532e-09  
第１５面
Ｋ=0.183,Ａ4=4.69985e-05,Ａ6=8.18509e-06,Ａ8=-4.46999e-07,Ａ10=8.51670e-09  
第１６面
Ｋ=0.183,Ａ4=-4.69985e-05,Ａ6=-8.18509e-06,Ａ8=4.46999e-07,Ａ10=-8.51670e-09  
各種データ
広角      中間      望遠
焦点距離      6.68     16.98     45.16
ＦＮＯ．      3.36      4.91      5.08
画角２ω     68.06     26.50      9.76
d3          0.30      5.32     11.90  
d8         12.85      7.83      1.78  
d14         3.30     12.50     13.60  
d16         5.39      4.14      3.02  
【０２５８】
以上の実施例１〜９の無限遠物点合焦時の収差図をそれぞれ図１０〜図１８に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。“ω”は半画角を示す。
【０２５９】
さらに、実施例１０、１１、１２の無限遠物点合焦時の収差図をそれぞれ図２７、図２８、図２９に示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。各図中、 “ω”は半画角を示す。
【０２６０】
次に、各実施例における条件式（１）〜（２３）の値を掲げる。
実施例1  実施例2  実施例3  実施例4  実施例5
(1) (β2t/β2w)/(β3t/β3w) 1.759    1.874    1.784    1.654    1.576 
(2) ｆt/ｆw                 6.725    6.728    6.726    6.725    6.725 
(3) D2w/ft                 0.285    0.282    0.287    0.286    0.321 
(4) f1/ft                   0.634    0.595    0.633    0.645    0.660 
(5) |f2/ft|                 0.164    0.154    0.164    0.163    0.172 
(6) f3/ft                   0.220    0.217    0.220    0.219    0.234 
(7) f4/ft                   0.534    0.537    0.530    0.560    0.583 
(8) νd1p-νd1n            60.896   60.896   60.896   60.896   60.896 
(9) νd1p               81.540   81.540   81.540   81.540   81.540 
(10) νd3p              81.540   81.540   81.540   81.540   81.540 
(11) nd1n             2.002    2.002    2.002    2.002    2.002 
(12) nd2n                1.806    1.883    1.806    1.835    1.835 
(13) nd2p                   1.923    1.923    2.102    1.923    1.923 
(14) SF2n1                  0.357    0.423    0.266    0.295    0.330 
(15) SF1p                  -0.244   -0.228   -0.203   -0.324   -0.166 
(16) β2t/β2w          3.133    3.237    3.153    3.048    3.115 
(17) β3t/β3w          1.781    1.727    1.768    1.842    1.977 
(18) β4t/β4w          1.205    1.204    1.207    1.198    1.092 
(19) (D2w+D1t)/ft       0.581    0.556    0.583    0.582    0.629 
(20) D1t/fｔ                0.296    0.274    0.296    0.296    0.308 
(21) TL/ｆt                 1.074    1.068    1.077    1.079    1.116 
実施例6  実施例7  実施例8  実施例9
(1) (β2t/β2w)/(β3t/β3w) 1.955    1.754    1.580    1.608 
(2) ｆt/ｆw                 6.724    6.722    6.727    6.721 
(3) D2w/ft                  0.312    0.295    0.320    0.281 
(4) f1/ft                   0.625    0.648    0.659    0.657 
(5) |f2/ft|                 0.166    0.162    0.171    0.160 
(6) f3/ft                   0.235    0.224    0.234    0.216 
(7) f4/ft                   0.462    0.521    0.592    0.512 
(8) νd1p-νd1n       60.896   60.896   60.896   60.896 
(9) νd1p        81.540   81.540   81.540   81.540 
(10) νd3p         81.540   81.540   52.430   81.540 
(11) nd1n                   2.002    2.002    2.002    2.002 
(12) nd2n                   1.835    1.835    1.835    1.806 
(13) nd2p                   1.923    1.923    1.923    1.923 
(14) SF2n1                 -0.109   -0.350    0.347   -0.442 
(15) SF1p                  -0.156   -0.138   -0.153   -0.187 
(16) β2t/β2w              3.389    3.239    3.122    3.094 
(17) β3t/β3w              1.733    1.847    1.975    1.924 
(18) β4t/β4w              1.145    1.123    1.091    1.129 
(19) (D2w+D1t)/ft           0.602    0.596    0.627    0.588 
(20) D1t/fｔ                0.290    0.301    0.307    0.307 
(21) TL/ｆt                 1.109    1.116    1.116    1.116 
実施例10  実施例11  実施例12
(1) (β2t/β2w)/(β3t/β3w)  3.152    2.981    2.684 
(2) ｆt/ｆw                  6.692    6.796    6.757 
(3) D2w/ft                   0.285    0.272    0.284 
(4) f1/ft                    0.553    0.554    0.572 
(5) |f2/ft|                  0.136    0.136    0.144 
(6) f3/ft                    0.243    0.232    0.236 
(7) f4/ft                    0.510    0.393    0.432 
(8) νd1p-νd1n             49.085   49.085   49.085 
(9) νd1p                   67.069   67.069   67.069 
(10) νd3p                  81.540   81.540   81.540 
(11) nd1n                    1.946    1.946    1.946 
(12) nd2n                    1.835    1.806    1.806 
(13) nd2p                    1.883    1.883    1.883 
(14) SF2n1                   0.857    0.538    0.415 
(15) SF1p                   -0.670   -0.617   -0.563 
(16) β2t/β2w               4.292    4.146    3.885 
(17) β3t/β3w               1.362    1.391    1.447 
(18) β4t/β4w               1.145    1.179    1.201 
(19) (D2w+D1t)/ft            0.548    0.532    0.548 
(20) D1t/ft                  0.263    0.260    0.263 
(21) TL/ｆt                  1.109    1.086    1.093
(22) (RaspO+RaspI)/ (RaspO-RaspI)
-        -       0
(23) (XO(y)+XI(y))/(RaspO-RaspI)
-        -     0≦ｙ≦Rで全て0
【０２６１】
以上の実施例は、カメラの薄型化を行い易いように配慮された、７倍程度の高変倍比を持つズームレンズ光学系を実現している。当然ながら撮影画像の画質は良好に維持されており、また、ＣＣＤやＣＭＯＳ等の電子撮像素子の使用に適している安価なズームレンズ光学系となっている。
【０２６２】
また、上記各実施例において、ゴースト、フレア等の不要光をカットするために、明るさ絞り以外にフレア絞りを配置してもかまわない。フレア絞りは、第１レンズ群の物体側、第１、２レンズ群間、第２、３レンズ群間、第３、４レンズ群間、第４レンズ群から像面間のいずれの場所に配置しても良い。枠部材によりフレア光線をカットするように構成しても良いし、別の部材を構成しても良い。また、光学系に直接印刷しても塗装してもシールなどを接着してもかまわない。また、その形状は円形、楕円形、矩形、多角形、関数曲線で囲まれる範囲等、いかなる形状でもかまわない。また、有害光束をカットするだけでなく画面周辺のコマフレア等の光束をカットしても良い。
【０２６３】
また、各レンズには反射防止コートを行い、ゴースト、フレアを軽減してもかまわない。マルチコートであれば効果的にゴースト、フレアを軽減できるので望ましい。また、赤外カットコートをレンズ面、カバーガラス等に行ってもかまわない。
【０２６４】
また、ピント調節を行うためのフォーカシングは第４レンズ群の移動にて行うことが望ましい。第４レンズ群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。上述のように第４レンズ群でのフォーカシングが望ましいが、第１、２、３レンズ群でフォーカシングを行っても良い。また、複数のレンズ群を移動してフォーカシングを行っても良い。また、レンズ系全体を繰り出してフォーカスを行っても良いし、一部のレンズを繰り出し、もしくは繰り込みしてフォーカスしても良い。
【０２６５】
また、画像周辺部の明るさのかげり（シェーディング）をＣＣＤのマイクロレンズをシ
フトすることにより軽減しても良い。例えば、各像高における光線の入射角に合わせてＣＣＤのマイクロレンズの設計を変えても良い。また、画像処理により画像周辺部の低下量を補正しても良い。
【０２６６】
また、意図的に光学系で歪曲収差を出しておき、撮影後に電気的に画像処理を行って歪みを補正してもかまわない。
【０２６７】
（歪曲収差の補正）
ところで、本発明のズームレンズを用いたときに、像の歪曲は電気的にデジタル補正する。以下に、像の歪曲をデジタル補正するための基本的概念について説明する。
【０２６８】
例えば、図１９に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０２６９】
例えば、図１９において、半径Ｒの円の内側に位置する任意の半径ｒ1（ω）の円周上
の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０２７０】
ここで、ｒ'（ω）は次のように表わすことができる。
ｒ'（ω）＝α・ｆ・ｔａｎω    （０≦α≦１）
ただし、
ωは被写体半画角、ｆは結像光学系（本発明では、ズームレンズ）の焦点距離である。
【０２７１】
ここで、前記半径Ｒの円上（像高）に対応する理想像高をＹとすると、
α＝Ｒ／Ｙ＝Ｒ／（ｆ・ｔａｎω）
となる。
【０２７２】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に
移動させることで補正することができれば、データ量や演算量の点で有利と考えられる。
【０２７３】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０２７４】
つまり、離散的座標点毎に表わされる画像データの形状補正においては、上記倍率を固定できる円は存在しない。そこで、各画素（Ｘi，Ｙj）毎に、移動先の座標（Ｘi'，Ｙj'
）を決める方法を用いるのがよい。なお、座標（Ｘi'，Ｙj'）に（Ｘi，Ｙj）の２点以
上が移動してきた場合には、各画素が有する値の平均値をとる。また、移動してくる点がない場合には、周囲のいくつかの画素の座標（Ｘi'，Ｙj'）の値を用いて補間すればよい。
【０２７５】
このような方法は、特にズームレンズが有する電子撮像装置において光学系や電子撮像素子の製造誤差等のために光軸に対して歪みが著しく、前記光学像上に描かれる上記半径
Ｒの円が非対称になった場合の補正に有効である。また、撮像素子あるいは各種出力装置において信号を画像に再現する際に幾何学的歪み等が発生する場合等の補正に有効である。
【０２７６】
本発明の電子撮像装置では、補正量ｒ'（ω）−ｒ（ω）を計算するために、ｒ（ω）
すなわち半画角と像高との関係、あるいは、実像高ｒと理想像高ｒ'／αとの関係が、電
子撮像装置に内蔵された記録媒体に記録されている構成としてもよい。
【０２７７】
なお、歪曲補正後の画像が短辺方向の両端において光量が極端に不足することのないようにするには、前記半径Ｒが、次の条件式を満足するのがよい。
【０２７８】
０≦Ｒ≦０．６Ｌs 
ただし、Ｌs は有効撮像面の短辺の長さである。
【０２７９】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、実質画像数の面で若干の不利があるが、広角化しても小型化にするための効果は確保できる。
【０２８０】
なお、補正が必要な焦点距離区間については、いくつかの焦点ゾーンに分割する。そして、該分割された焦点ゾーン内の望遠端近傍で略
ｒ'（ω）＝α・ｆ・ｔａｎω
を満足する補正結果が得られる場合と同じ補正量で補正してもよい。
【０２８１】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０２８２】
そして、前記分割されたゾーン内の望遠端近傍で略、
ｒ'（ω）＝α・ｆ・ｔａｎω
を満足する補正結果が得られる場合の補正量を算出し、この補正量に対して焦点距離毎に前記係数を一律に掛けて最終的な補正量にしてもよい。
【０２８３】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２８４】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２８５】
（デジタルカメラ）
図２０〜図２２は、以上のようなズームレンズを撮影光学系１４１に組み込んだ本発明によるデジタルカメラの構成の概念図を示す。図２０はデジタルカメラ１４０の外観を示す前方斜視図、図２１は同後方正面図、図２２はデジタルカメラ１４０の構成を示す模式的な断面図である。ただし、図２０と図２２においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２０の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０２８６】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０２８７】
このように構成されたデジタルカメラ１４０は、撮影光学系１４１が本発明により、沈胴時に厚みを極めて薄く、高変倍で全変倍域で結像性能を極めて安定的であるあるので、高性能・小型化・広角化が実現できる。
【０２８８】
（内部回路構成）
図２３は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０２８９】
図２３に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２９０】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０２９１】
操作部１１２は各種の入力ボタンやスイッチを備え、これらの入力ボタンやスイッチを介して外部（カメラ使用者）から入力されるイベント情報を制御部に通知する回路である。
【０２９２】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０２９３】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０２９４】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０２９５】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２９６】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０２９７】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０２９８】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【産業上の利用可能性】
【０２９９】
以上のように、本発明は、カメラの薄型化を行い易いように配慮された、７倍程度の高変倍比を持つズームレンズに有用である。
【図面の簡単な説明】
【０３００】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】実施例１の無限遠物点合焦時の収差図である。
【図１１】実施例２の無限遠物点合焦時の収差図である。
【図１２】実施例３の無限遠物点合焦時の収差図である。
【図１３】実施例４の無限遠物点合焦時の収差図である。
【図１４】実施例５の無限遠物点合焦時の収差図である。
【図１５】実施例６の無限遠物点合焦時の収差図である。
【図１６】実施例７の無限遠物点合焦時の収差図である。
【図１７】実施例８の無限遠物点合焦時の収差図である。
【図１８】実施例９の無限遠物点合焦時の収差図である。
【図１９】歪曲収差の補正を説明する図である。
【図２０】本発明によるズームレンズを組み込んだデジタルカメラの外観を示す前方斜視図である。
【図２１】図２０のデジタルカメラの後方斜視図である。
【図２２】図２０のデジタルカメラの断面図である。
【図２３】デジタルカメラの主要部の内部回路の構成ブロック図である。
【図２４】実施例１０の無限遠物点合焦時の収差図である。
【図２５】実施例１１の無限遠物点合焦時の収差図である。
【図２６】実施例１２の無限遠物点合焦時の収差図である。
【図２７】本発明のズームレンズの実施例１０の図１と同様の図である。
【図２８】本発明のズームレンズの実施例１１の図１と同様の図である。
【図２９】本発明のズームレンズの実施例１２の図１と同様の図である。
【図３０】非球面偏倚量を説明する図である。
【符号の説明】
【０３０１】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2008146016.tif 000003
【図２】
2008146016.tif 000004
【図３】
2008146016.tif 000005
【図４】
2008146016.tif 000006
【図５】
2008146016.tif 000007
【図６】
2008146016.tif 000008
【図７】
2008146016.tif 000009
【図８】
2008146016.tif 000010
【図９】
2008146016.tif 000011
【図１０】
2008146016.tif 000012
【図１１】
2008146016.tif 000013
【図１２】
2008146016.tif 000014
【図１３】
2008146016.tif 000015
【図１４】
2008146016.tif 000016
【図１５】
2008146016.tif 000017
【図１６】
2008146016.tif 000018
【図１７】
2008146016.tif 000019
【図１８】
2008146016.tif 000020
【図１９】
2008146016.tif 000021
【図２０】
2008146016.tif 000022
【図２１】
2008146016.tif 000023
【図２２】
2008146016.tif 000024
【図２３】
2008146016.tif 000025
【図２４】
2008146016.tif 000026
【図２５】
2008146016.tif 000027
【図２６】
2008146016.tif 000028
【図２７】
2008146016.tif 000029
【図２８】
2008146016.tif 000030
【図２９】
2008146016.tif 000031
【図３０】
2008146016.tif 000032